(57)【要約】【課題】乾燥時間を短縮でき、利便性を向上させるとともに、電力使用量も低減できる布団乾燥機を提供する。【解決手段】本発明の布団乾燥機は、布団８、９近くに置かれる乾燥ユニット３と、乾燥ユニット３に接続されるホース２と、ホース２に温風Ｏを供給する本体部１とを備え、ホース２から供給される温風Ｏを乾燥ユニット３から吹き出し、布団８、９を乾燥する布団乾燥機Ｆであって、乾燥ユニット３は、箱形状に形成されるとともに、温風Ｏを外部に吹き出す吹出し口３ａ、３ｂ、３ｃ、３ｄを複数有している。【選択図】図１
2016064126.tif 000002
【特許請求の範囲】
【請求項１】
布団近くに置かれる乾燥ユニットと、前記乾燥ユニットに接続されるホースと、前記ホースに温風を供給する本体部とを備え、前記ホースから供給される前記温風を前記乾燥ユニットから吹き出し、前記布団を乾燥する布団乾燥機であって、
前記乾燥ユニットは、箱形状に形成されるとともに、前記温風を外部に吹き出す吹出し口を複数有する
ことを特徴とする布団乾燥機。
【請求項２】
布団近くに置かれる乾燥ユニットとホースと温風を供給する本体部とを備え、前記本体部から供給される前記温風を前記乾燥ユニットから吹き出し、前記布団を乾燥する布団乾燥機であって、
前記乾燥ユニットは、布団に入れるだけでセットできる
ことを特徴とする布団乾燥機。
【請求項３】
布団近くに置かれる乾燥ユニットとホースと温風を供給する本体部とを備え、前記本体部から供給される前記温風を前記乾燥ユニットから吹き出し、前記布団を乾燥する布団乾燥機であって、
前記乾燥ユニットは、筐体形状である
ことを特徴とする布団乾燥機。
【請求項４】
布団近くに置かれる乾燥ユニットとホースと温風を供給する本体部とを備え、前記本体部から供給される前記温風を前記乾燥ユニットから吹き出し、前記布団を乾燥する布団乾燥機であって、
前記乾燥ユニットは、使用に際して変形しない
ことを特徴とする布団乾燥機。
【請求項５】
前記乾燥ユニットは、一端部から中央部にかけて切り欠いた形状に形成される空間の通気スペースを有し、
前記吹出し口の一部は、前記通気スペースに対して開口される
ことを特徴とする請求項１から請求項４の何れか一項に記載の布団乾燥機。
【請求項６】
前記乾燥ユニットは、前記通気スペースを挟んだ位置の両側部に前記温風が送られる一対の長形の脚状箱部を有し、
前記脚状箱部の端縁に前記吹出し口の一部である端縁吹出し口が設けられる
ことを特徴とする請求項５に記載の布団乾燥機。
【請求項７】
前記脚状箱部は、長さが変えられる
ことを特徴とする請求項６に記載の布団乾燥機。
【請求項８】
前記乾燥ユニットを、その載置面からの角度を変更する角度変更手段を有する
ことを特徴とする請求項１から請求項７の何れか一項に記載の布団乾燥機。
【請求項９】
前記吹出し口の一部は、前記乾燥ユニットが載置される面に沿った方向に長く形成される
ことを特徴とする請求項１から請求項８の何れか一項に記載の布団乾燥機。
【請求項１０】
前記乾燥ユニットは、その内部に前記温風を前記吹出し口の外部に案内する制風手段を有する
ことを特徴とする請求項１から請求項９の何れか一項に記載の布団乾燥機。
【請求項１１】
前記本体部は、
六面体または直方体の形状を有するとともに、請求項１から請求項１０の何れか一項に記載の前記乾燥ユニットを収納する空間を内部に有し、
前記乾燥ユニットは、前記空間内に収納される
ことを特徴とする請求項１から請求項１０の何れか一項に記載の布団乾燥機。
【請求項１２】
前記乾燥ユニットは、一端部から中央部にかけて切り欠いた形状に形成される空間の通気スペースを有するとともに、前記通気スペースを挟んだ位置の両側部に前記温風が送られる一対の長形の脚状箱部を有し、
前記本体部は、内部中央に前記温風を発生させるファンを稼働させるモータが配置され、
前記乾燥ユニットは、前記モータが一対の長形の脚状箱部間に配置される姿勢で前記本体部内に収納される
ことを特徴とする請求項１１に記載の布団乾燥機。
【請求項１３】
前記本体部は、前側に前記温風となる空気の吸込み口を有するとともに、前記吸込み口の手前に空気中の塵埃を除去するフィルタが設けられ、
前記フィルタを手前側から覆って設けられ、前記本体部の前面側の被係合部に裏面側の係合部が係合して取り付けられる化粧板を備え、
前記化粧板は、前記本体部から取り外される際に、前記本体部内部から前記係合を解除するために力が加えられる解除部を裏面側に有する
ことを特徴とする請求項１から請求項１２のうちの何れか一項に記載の布団乾燥機。
【請求項１４】
前記本体部は、
前記布団乾燥機を運ぶ際に把持されるハンドルを有し、
前記ハンドルは、
前記本体部内の第１の保持部に係合されることで前記本体部内に収納される収納状態に保持されるとともに、前記本体部内の第２の保持部に係合されることで前記本体部からの引き出し状態に保持されるハンドル係合部とを有し、
前記ハンドル係合部は前記ハンドルに一体に成形される
ことを特徴とする請求項１から請求項１３のうちの何れか一項に記載の布団乾燥機。
【請求項１５】
前記本体部は、
前記布団を乾燥する乾燥運転の種類毎に、前記乾燥運転を選ぶ際に選択される操作スイッチをそれぞれ有する
ことを特徴とする請求項１から請求項１４のうちの何れか一項に記載の布団乾燥機。
【請求項１６】
前記本体部は、前記布団を乾燥する乾燥運転の残り時間が表示される表示部を有する
ことを特徴とする請求項１から請求項１５のうちの何れか一項に記載の布団乾燥機。
【請求項１７】
前記本体部は、前記布団乾燥機に異常が発生した際にエラー表示がなされる表示部を有し、
前記エラー表示は、前記布団乾燥機の使用者が対応できるものか否かが判断できる第１の表示と、前記異常の内容が判断できる第２の表示とを有する
ことを特徴とする請求項１から請求項１６のうちの何れか一項に記載の布団乾燥機。
【請求項１８】
前記本体部は、一方の側部に前記ホースが連結される連結口を有し、
前記本体部に電源を供給する電源コードは、前記一方の側部側の側面板と前記本体部の下面板とで形成される角部に形成される凹部から後方に引き出されて構成される
ことを特徴とする請求項１から請求項１７のうちの何れか一項に記載の布団乾燥機。
【請求項１９】
前記脚状箱部は、互いに離れたり、近づいたり調整できる
ことを特徴とする請求項６から請求項１８の何れか一項に記載の布団乾燥機。
【請求項２０】
前記乾燥ユニットは、長手方向または短手方向のうちの少なくとも何れかの方向に伸縮自在である
ことを特徴とする請求項１から請求項１９の何れか一項に記載の布団乾燥機。
【請求項２１】
臭いを防ぐ防臭、香り付け、臭いを消す消臭のうちの少なくとも何れかの臭い抑制手段を備える
ことを特徴とする請求項１から請求項２０の何れか一項に記載の布団乾燥機。
【請求項２２】
前記臭い抑制手段は、前記乾燥ユニットの上部に配置され、蓋部材がロック手段でロックされた状態で臭い抑制体が収容されている
ことを特徴とする請求項２１に記載の布団乾燥機。
【請求項２３】
前記乾燥ユニットと前記ホースとは一体に連続して構成されている
ことを特徴とする請求項１から請求項２２の何れか一項に記載の布団乾燥機。
【請求項２４】
前記乾燥ユニットと前記ホースとは一体に前記本体部の内部に収納される
ことを特徴とする請求項１から請求項２３の何れか一項に記載の布団乾燥機。
【発明の詳細な説明】
【技術分野】
【０００１】
本発明は各種の布団を乾燥させる布団乾燥機に関する。
【背景技術】
【０００２】
図３８は、従来の布団乾燥機の乾燥マット近傍を上方より見た断面図であり、図３９は従来の布団乾燥機の乾燥マットで布団を乾燥させている状態を側方より見た断面図である。
従来、特許文献１に記載されるように、各種の布団を乾燥させるための布団乾燥機がある。布団乾燥機は、乾燥マット１１０に温風Ｏを流して布団の乾燥が行われる。
【０００３】
例えば、布団乾燥機は、乾燥マット１１０の下方に敷き布団１０８が載置され、乾燥マット１１０の上方に掛け布団１０９が掛けられる。そして、乾燥マット１１０内より温風を吹き出したり乾燥マット１１０の熱により、乾燥マット１１０の下方の敷き布団１０８と、乾燥マット１１０の上方の掛け布団１０９とを乾燥させる。
【０００４】
乾燥マット１１０は、外周部に配置される温風Ｏの通路の外周部温風通路１１１と、中心部に配置される温風の通路の中心部温風通路１１２とを有して構成される。
乾燥マット１１０は、例えば布団乾燥機本体(図示せず)よりホース１０２を介して温風Ｏが、外周部温風通路１１１の内部に供給され、外周部温風通路１１１を通過して中心部温風通路１１２に流れる。
【０００５】
外周部温風通路１１１は、内部に温風Ｏが流れ(滞留し)て筒状形状に膨らみを作り、掛け布団１０９と敷き布団１０８の間に隙間を作る。そして、外周部温風通路１１１を通過した温風は、中心部温風通路１１２に流れ、中心部温風通路１１２から下方の敷き布団１０８側に直接通気して、敷き布団１０８側の乾燥が行われる。
【０００６】
その他、中心部温風通路１１２からの温風が届かない掛け布団１０９や敷き布団１０８は、外周部温風通路１１１および中心部温風通路１１２の熱伝導(図３９の破線矢印参照)により乾燥が行われる。
【先行技術文献】
【特許文献】
【０００７】
【特許文献１】特開平８−１０４９９号公報
【発明の概要】
【発明が解決しようとする課題】
【０００８】
ところで、上述の従来の乾燥マット１１０では、敷き布団１０８側は乾燥マット１１０外周部を流れる温風による乾燥マット１１０の温度上昇により、乾燥マット１１０表面と接する場所が熱伝導により温度上昇して乾燥する。また、乾燥マット１１０の中心部温風通路１１２を流れる温風Ｏが下方の敷き布団１０８に直接通気する。
【０００９】
このように、敷き布団１０８は、熱による乾燥と共に通気することにより湿気が布団外に放出される。人間の汗は敷き布団１０８の中心部により多く含まれており、その部分に集中的に温風を当てることができるため、敷き布団１０８の乾燥は早い。
【００１０】
しかし、掛け布団１０９側は乾燥マット１１０に接触することによる熱伝導による温度上昇のみであり、敷き布団１０８ほどには乾燥時間を早くすることはできない。そのため、結果として、布団(１０８、１０９)全体の乾燥時間を早くすることができなかった。
【００１１】
また、従来、乾燥マット１１０は敷き布団１０８と同じ大きさで素材は薄い維布で構成されている。そのため、乾燥マット１１０を、掛け布団１０９と敷き布団１０８との間にセットするためには、掛け布団１０９を掛けた後、乾燥マット１１０の皺や折り重なりが無いように確認が必要であった。乾燥マット１１０に皺や折り重なりがある場合、乾燥マット１１０が温風により充分に膨らまないため、布団(１０８、１０９)の隅々まで温風が行き渡らず布団(１０８、１０９)の乾燥が十分にできない場合が容易に起こる。
さらに、従来、乾燥マット１１０の寸法が大人用シングルサイズ布団の寸法に合わせているため、子供用布団や幼児用布団には使用できないという不都合がある。
【００１２】
加えて、布団(１０８、１０９)への人間の汗の浸入により、布団(１０８、１０９)に細菌、バイ菌等が発生する可能性があり、布団(１０８、１０９)から臭いが生じるおそれがある。
【００１３】
本発明は上記実状に鑑み、乾燥時間を短縮でき、利便性を向上させるとともに、電力使用量も低減できる布団乾燥機の提供を目的とする。
【課題を解決するための手段】
【００１４】
請求項１の布団乾燥機は、布団近くに置かれる乾燥ユニットと、前記乾燥ユニットに接続されるホースと、前記ホースに温風を供給する本体部とを備え、前記ホースから供給される前記温風を前記乾燥ユニットから吹き出し、前記布団を乾燥する布団乾燥機であって、前記乾燥ユニットは、箱形状に形成されるとともに、前記温風を外部に吹き出す吹出し口を複数有している。
【００１５】
請求項１の布団乾燥機によれば、乾燥ユニットは、箱形状に形成されるとともに、温風を外部に吹き出す吹出し口を複数有するので、簡単なセットで布団を乾燥させることができ、取扱性がよい。また、温風を外部に吹き出す吹出し口を複数有するので、短時間での布団の乾燥が可能であり、使用性がよく、消費電力を低減できる。
【００１６】
請求項２の布団乾燥機は、布団近くに置かれる乾燥ユニットとホースと温風を供給する本体部とを備え、前記本体部から供給される前記温風を前記乾燥ユニットから吹き出し、前記布団を乾燥する布団乾燥機であって、前記乾燥ユニットは、布団に入れるだけでセットできる。
【００１７】
請求項２の布団乾燥機によれば、乾燥ユニットは、布団に入れるだけでセットできるので、乾燥作業が容易に行える。
【００１８】
請求項３の布団乾燥機は、布団近くに置かれる乾燥ユニットとホースと温風を供給する本体部とを備え、前記本体部から供給される前記温風を前記乾燥ユニットから吹き出し、前記布団を乾燥する布団乾燥機であって、前記乾燥ユニットは、筐体形状である。
【００１９】
請求項３の布団乾燥機によれば、乾燥ユニットが筐体形状であるので、布団を乾燥させる際に変形せず、乾燥作業が容易に行える。
【００２０】
請求項４の布団乾燥機は、布団近くに置かれる乾燥ユニットとホースと温風を供給する本体部とを備え、前記本体部から供給される前記温風を前記乾燥ユニットから吹き出し、前記布団を乾燥する布団乾燥機であって、前記乾燥ユニットは、使用に際して変形しない。
【００２１】
請求項４の布団乾燥機によれば、乾燥ユニットが使用に際して変形しないので、乾燥作業が容易に行える。
【００２２】
請求項５の布団乾燥機は、請求項１から請求項４の何れか一項に記載の布団乾燥機において、前記乾燥ユニットは、一端部から中央部にかけて切り欠いた形状に形成される空間の通気スペースを有し、前記吹出し口の一部は、前記通気スペースに対して開口されている。
【００２３】
請求項５の布団乾燥機によれば、一端部から中央部にかけて形成される空間の通気スペースを有するので、通気スペースに対して開口される吹出し口から、通気スペースを介して、温風を布団に効果的に供給できる。
【００２４】
請求項６の布団乾燥機は、請求項５の布団乾燥機において、前記乾燥ユニットは、前記通気スペースを挟んだ位置の両側部に前記温風が送られる一対の長形の脚状箱部を有し、前記脚状箱部の端縁に前記吹出し口の一部である端縁吹出し口が設けられている。
【００２５】
請求項６の布団乾燥機によれば、通気スペースを挟んだ位置の両側部に温風が送られる一対の長形の脚状箱部を有し、脚状箱部の端縁に吹出し口の一部である端縁吹出し口が設けられるので、端縁吹出し口から布団の遠くの箇所まで温風を送ることができる。
【００２６】
請求項７の布団乾燥機は、請求項６の布団乾燥機において、前記脚状箱部は、長さが変えられる。
【００２７】
請求項７の布団乾燥機によれば、脚状箱部は、長さが変えられるので、布団の大きさに合わせた柔軟な乾燥作業が行える。そのため、布団の大きさに適合した乾燥作業が行えるので、電力消費が最適な量で行え、省電力化が可能である。
【００２８】
請求項８の布団乾燥機は、請求項１から請求項７の何れか一項の布団乾燥機において、その載置面からの角度を変更する角度変更手段を有している。
請求項８の布団乾燥機によれば、乾燥ユニットを、その載置面からの角度を変更する角度調節手段を有するので、布団の大きさに合わせて、乾燥ユニットの角度を調整し、布団の隅々まで温風を送ることができる。そのため、温風を有効活用できエネルギの効率的利用が行え、省エネルギ化を図れる。また、乾燥時間を短縮できる。
【００２９】
請求項９の布団乾燥機は、請求項１から請求項８の何れか一項の布団乾燥機において、前記吹出し口の一部は、前記乾燥ユニットが載置される面に沿った方向に長く形成されている。
請求項９の布団乾燥機によれば、吹出し口の一部は、乾燥ユニットが載置される面に沿った方向に長く形成されるので、温風をより多く吹き出すことができる。
【００３０】
請求項１０の布団乾燥機は、請求項１から請求項９の何れか一項の布団乾燥機において、前記乾燥ユニットは、その内部に前記温風を前記吹出し口の外部に案内する制風手段を有している。
請求項１０の布団乾燥機によれば、乾燥ユニットの内部に温風を吹出し口の外部に案内する制風手段を有するので、温風を効果的に吹出し口の外部に吹き出すことができる。そのため、エネルギを効果的に使用でき、省エネルギ化が可能であり、乾燥時間が短縮できる。
【００３１】
請求項１１の布団乾燥機は、請求項１から請求項１０の何れか一項の布団乾燥機において、前記本体部は、六面体または直方体の形状を有するとともに、請求項１から請求項１０の何れか一項記載の前記乾燥ユニットを収納する空間を内部に有し、前記乾燥ユニットは、前記空間内に収納されている。
【００３２】
請求項１１の布団乾燥機によれば、本体部は、六面体または直方体の形状を有するので、縦置き、横置きして使用できるとともに、未使用時には縦置き、横置きして収納することができる。また、乾燥ユニットは、六面体または直方体の形状の本体部内に収納されるので、コンパクトに収納できるとともに、布団乾燥機の移動が容易に行える。
【００３３】
請求項１２の布団乾燥機は、請求項１から請求項１１の何れか一項の布団乾燥機において、前記乾燥ユニットは、一端部から中央部にかけて切り欠いた形状に形成される空間の通気スペースを有するとともに、前記通気スペースを挟んだ位置の両側部に前記温風が送られる一対の長形の脚状箱部を有し、前記本体部は、内部中央に前記温風を発生させるファンを稼働させるモータが配置され、前記乾燥ユニットは、前記モータが一対の長形の脚状箱部間に配置される姿勢で前記本体部内に収納されている。
【００３４】
請求項１２の布団乾燥機によれば、乾燥ユニットは、記モータが一対の長形の脚状箱部間に配置される姿勢で本体部内に収納されるので、乾燥ユニットを本体部内にコンパクトに収納できる。
【００３５】
請求項１３の布団乾燥機は、請求項１から請求項１２のうちの何れか一項に記載の布団乾燥機において、前記本体部は、前側に前記温風となる空気の吸込み口を有するとともに、前記吸込み口の手前に空気中の塵埃を除去するフィルタが設けられ、前記フィルタを手前側から覆って設けられ、前記本体部の前面側の被係合部に裏面側の係合部が係合して取り付けられる化粧板を備え、前記化粧板は、前記本体部から取り外される際に、前記本体部内部から前記係合を解除するために力が加えられる解除部を裏面側に有している。
【００３６】
請求項１３の布団乾燥機によれば、化粧板を裏面側の係合部が本体部の前面側の被係合部に係合して取り付けられるとともに、本体部内部から係合を解除するために力が加えられる解除部を化粧板の裏面側に有するので、化粧板を本体部の前面側に近付けて配置でき、両者間に隙間を可及的に小さくできる。そのため、子供などが誤って化粧板を外すことが防止されるとともに、大きなゴミをフィルタに吸い込むことが抑制される。また、化粧板は、本体部から取り外される際に、本体部内部から係合を解除するために力が加えられる解除部を裏面側に有するので、化粧板を容易に取り外せるとともに、本体部の前面側の化粧板の前面に造作を施すことなく、すっきりした見栄えにできる。
【００３７】
請求項１４の布団乾燥機は、請求項１から請求項１３のうちの何れか一項に記載の布団乾燥機において、前記本体部は、前記布団乾燥機を運ぶ際に把持されるハンドルを有し、前記ハンドルは、前記本体部内の第１の保持部に係合されることで前記本体部内に収納される収納状態に保持されるとともに、前記本体部内の第２の保持部に係合されることで前記本体部からの引き出し状態に保持されるハンドル係合部とを有し、前記ハンドル係合部は前記ハンドルに一体に成形されている。
【００３８】
請求項１４の布団乾燥機によれば、本体部に出し入れ自在のハンドルを有するので、ハンドルを引き出して布団乾燥機を容易に運ぶことができる。また、布団乾燥機の未使用時には、ハンドルを収納して布団乾燥機をしまえるので、布団乾燥機の保管がし易い。また、ハンドルの係合機構はハンドル本体と一体成形できるので、製造が容易で製造コストが低くできる。
【００３９】
請求項１５の布団乾燥機は、請求項１から請求項１４のうちの何れか一項に記載の布団乾燥機において、前記本体部は、前記布団を乾燥する乾燥運転の種類毎に、前記乾燥運転を選ぶ際に選択される操作スイッチをそれぞれ有している。
【００４０】
請求項１５の布団乾燥機によれば、本体部は、布団を乾燥する乾燥運転の種類毎に、乾燥運転を選ぶ際に選択される操作スイッチをそれぞれ有するので、使用者が乾燥運転モードを選択する際の操作が少なく済む。そのため、操作性が良く使い易い。
【００４１】
請求項１６の布団乾燥機は、請求項１から請求項１５のうちの何れか一項に記載の布団乾燥機において、前記本体部は、前記布団を乾燥する乾燥運転の残り時間が表示される表示部を有している。
【００４２】
請求項１６の布団乾燥機によれば、本体部は、布団を乾燥する乾燥運転の残り時間が表示される表示部を有するので、使用者は乾燥運転の残り時間を把握できる。そのため、布団の乾燥作業を行う際に日常生活のスケジュールをこなすのに便利である。
【００４３】
請求項１７の布団乾燥機は、請求項１から請求項１６のうちの何れか一項に記載の布団乾燥機において、前記布団乾燥機に異常が発生した際にエラー表示がなされる表示部を有し、前記エラー表示は、前記布団乾燥機の使用者が対応できるものか否かが判断できる第１の表示と、前記異常の内容が判断できる第２の表示とを有している。
【００４４】
請求項１７の布団乾燥機によれば、表示部に布団乾燥機に異常が発生した際にエラー表示がなされ、布団乾燥機の使用者が対応できるものか否かが判断できる第１の表示がなされるので、使用者対応か否かの判断が行え、異常対応が円滑に行える。また、使用者が対応できる異常の内容が判断できる第２の表示がなされるので、マニュアルなどを見て迅速に対応できる。
【００４５】
請求項１８の布団乾燥機は、請求項１から請求項１７のうちの何れか一項に記載の布団乾燥機において、前記本体部は、一方の側部に前記ホースが連結される連結口を有し、前記本体部に電源を供給する電源コードは、前記一方の側部側の側面板と前記本体部の下面板とで形成される角部に形成される凹部から後方に引き出されて構成されている。
【００４６】
請求項１８の布団乾燥機によれば、本体部は、一方の側部にホースが連結される連結口を有し、本体部に電源を供給する電源コードは、一方の側部側の側面板と本体部の下面板とで形成される角部に形成される凹部から後方に引き出されて構成されるので、本体部を縦置きした場合も横置きした場合にも、ホースをほぼ最短距離で乾燥位置まで配置することができる。また、電源コードを後方のコンセントまで、ほぼ最短距離で接続できる。さらに、電源コードを床に這わせて接続できるので、本体部近くを通る人が足にコードを引っ掛けることが防止でき、使い勝手がよい。
【００４７】
請求項１９の布団乾燥機は、請求項６から請求項１８の何れか一項に記載の布団乾燥機において、前記脚状箱部は、互いに離れたり、近づいたり調整できる。
【００４８】
請求項１９の布団乾燥機によれば、脚状箱部は、互いに離れたり、近づいたり調整できるので、布団の幅寸法に合わせて乾燥作業が行える。
【００４９】
請求項２０の布団乾燥機は、請求項１から請求項１９の何れか一項に記載の布団乾燥機において、前記乾燥ユニットは、長手方向または短手方向のうちの少なくとも何れかの方向に伸縮自在である。
【００５０】
請求項２０の布団乾燥機によれば、前記乾燥ユニットは、長手方向または短手方向のうちの少なくとも何れかの方向に伸縮自在であるので、布団の大きさに合わせて乾燥作業が行える。
【００５１】
請求項２１の布団乾燥機は、請求項１から請求項２０の何れか一項に記載の布団乾燥機において、臭いを防ぐ防臭、香り付け、臭いを消す消臭のうちの少なくとも何れかの臭い抑制手段を備えている。
【００５２】
請求項２１の布団乾燥機によれば、臭いを防ぐ防臭、香り付け、臭いを消す消臭のうちの少なくとも何れかの臭い抑制手段を備えるので、布団の防臭、香り付け、消臭のうちの少なくとも何れかが行える。
【００５３】
請求項２２の布団乾燥機は、請求項２１に記載の布団乾燥機において、前記臭い抑制手段は、前記乾燥ユニットの上部に配置され、蓋部材がロック手段でロックされた状態で臭い抑制体が収容されている。
【００５４】
請求項２２の布団乾燥機によれば、臭い抑制手段は、乾燥ユニットの上部に配置されるので、乾燥ユニット内で温度上昇により上部に流れ易い温風に効果的に臭い抑制の機能を付与できる。また、蓋部材がロック手段でロックされるので、布団乾燥機の使用に際して、蓋部材が布団の移動で開けられ、臭い抑制体が出てしまうことが抑制される。
【００５５】
請求項２３の布団乾燥機は、請求項１から請求項２２の何れか一項に記載の布団乾燥機において、前記乾燥ユニットと前記ホースとは一体に連続して構成されている。
【００５６】
請求項２３の布団乾燥機によれば、乾燥ユニットとホースとは一体に連続して構成されているので、乾燥ユニットとホースの取り扱い性が良好である。
【００５７】
請求項２４の布団乾燥機は、請求項１から請求項２３の何れか一項に記載の布団乾燥機において、前記乾燥ユニットと前記ホースとは一体に前記本体部の内部に収納される。
【００５８】
請求項２４の布団乾燥機によれば、乾燥ユニットとホースとは一体に本体部の内部に収納されるので、乾燥ユニットとホースの本体部への収納、本体部からの取り出しが容易である。
【発明の効果】
【００５９】
本発明によれば、乾燥時間を短縮でき、利便性を向上させるとともに、電力使用量も低減できる布団乾燥機を実現できる
【図面の簡単な説明】
【００６０】
【図１】(ａ)は本発明の実施形態に係る布団乾燥機を斜め前上方から見た斜視図、 (ｂ)は実施形態に係る布団乾燥機を斜め後下方から見た斜視図。
【図２】実施形態の布団乾燥機の使用状態を斜め前方から見た斜視図。
【図３】(ａ)は実施形態の布団乾燥機の使用時の乾燥ユニットを上方から見た断面図、 (ｂ)は実施形態の布団乾燥機の使用時の乾燥ユニットを側方から見た断面図。
【図４】(ａ)は実施形態の布団乾燥機の使用時の他例の乾燥ユニットを上方から見た断面図、 (ｂ)は実施形態の布団乾燥機の使用時の他例の乾燥ユニットを側方から見た断面図。
【図５】変形例１の布団乾燥機Ｆの乾燥ユニット１３を斜め上前方から見た斜視図。
【図６】(ａ)は変形例２のスタンドを立てた状態の乾燥ユニットを斜め上前方から見た斜視図、 (ｂ)は変形例２のスタンドを収納した状態の乾燥ユニットを斜め上前方から見た斜視図。
【図７】(ａ)は変形例３の布団乾燥機の乾燥ユニットの脚部の長さを短に調整した場合を示す乾燥ユニットを斜め上前方から見た斜視図、(ｂ)は変形例３の布団乾燥機の乾燥ユニットの脚部の長さを長に調整した場合を示す乾燥ユニットを斜め上前方から見た斜視図。
【図８】(ａ)は変形例４の布団乾燥機の脚部を延ばさない状態の乾燥ユニットを斜め上前方から見た斜視図、 (ｂ)は変形例４の布団乾燥機の脚部を前後左右方向に延ばした状態の乾燥ユニットを斜め上前方から見た斜視図。
【図９】（ａ）は下脚部の内側を見た斜視図、（ｂ）は上脚部の内側を見た斜視図。
【図１０】脚部を下方から見た下面図。
【図１１】（ａ）は調整脚部を前方側から見た前面図、（ｂ）は調整脚部を上方から見た上面図、（ｃ）は調整脚部を上方斜め後方から見た斜視図。
【図１２】（ａ）は本体部の本体下部体を上方から見た上面図、（ｂ）は（ａ）のＡ−Ａ断面図。
【図１３】本体部の本体下部体を斜め上後方から見た斜視図。
【図１４】（ａ）は本体部の本体上部体を上方から見た上面図、（ｂ）は（ａ）のＢ−Ｂ断面図。
【図１５】本体部の本体上部体を斜め上後方から見た斜視図。
【図１６】（ａ）は変形例５の乾燥ユニットの使用中の状態を示す斜視図、（ｂ）は、変形例５の乾燥ユニットで芳香剤を入れる前の状態を示す斜視図。
【図１７】乾燥ユニットの本体部の上部を構成する本体上部体を後上方から見た斜視図。
【図１８】（ａ）は本体上部体を上から見た上面図、（ｂ）は（ａ）のＣ−Ｃ断面図。
【図１９】（ａ）は収納部蓋を斜め前下方から見た斜視図、（ｂ）は収納部蓋を下方から見た下面図、（ｃ）は、（ｂ）のＤ−Ｄ断面図、（ｄ）は（ｂ）のＥ方向矢視図。
【図２０】（ａ）は芳香剤ベースを斜め前上方から見た斜視図、（ｂ）は芳香剤ベースを上方から見た上面図、（ｃ）は、（ｂ）のＦ−Ｆ断面図。
【図２１】実施形態２の畳上のふとんの乾燥を行っている布団乾燥機を示す図。
【図２２】実施形態２のベッド上のふとんの乾燥を行っている布団乾燥機を示す図。
【図２３】乾燥機本体内に乾燥ユニットとホースとを収納した乾燥機本体の外観斜視図。
【図２４】布団乾燥機を使用時の乾燥機本体の開閉蓋を開けた状態を上方から見た図。
【図２５】乾燥機本体の内部に乾燥ユニットとホースとを収納した状態を上方から見た図。
【図２６】図２３のＡ方向矢視図。
【図２７】図２３のＢ方向矢視図。
【図２８】ハンドルを乾燥機本体から引き出した状態を示す斜視図。
【図２９】ハンドルを乾燥機本体内に収容した状態の乾燥機本体の上部を前面側から見た断面図。
【図３０】(ａ)はハンドルを乾燥機本体内から引き出した状態の乾燥機本体の上右部を前面側から見た断面図、 (ｂ)はハンドルを乾燥機本体内から引き出した状態の乾燥機本体の上右部を前面斜め下側から見た斜視図。
【図３１】化粧パネルを取り外した乾燥機本体を斜め上前方から見た斜視図。
【図３２】乾燥機本体から取り外した化粧パネルの内部側を斜め上方から見た斜視図。
【図３３】化粧パネルの下部が、乾燥機本体に係合した状態を示す要部一部切り欠き斜視図。
【図３４】化粧パネルの上部が、乾燥機本体に係合した状態を示す要部一部切り欠き斜視図。
【図３５】操作部のレイアウトを示す図。
【図３６】(ａ)は表示装置ｈに使用者側では復帰できないエラー内容のエラーコードが表示される場合を示す図、(ｂ)は表示装置に使用者側では復帰できるエラー内容のエラーコードが表示される場合を示す図。
【図３７】実施形態２の変形例１の乾燥ユニットが乾燥機本体の内部に収納された状態を上方から見た斜視図。
【図３８】従来の布団乾燥機の乾燥マット近傍を上方より見た断面図。
【図３９】従来の布団乾燥機の乾燥マットで布団を乾燥させている状態を側方より見た断面図。
【発明を実施するための形態】
【００６１】
以下、本発明の実施形態について、適宜図面を参照しながら詳細に説明する。
図１(ａ)は、本発明の実施形態に係る布団乾燥機を斜め前上方から見た斜視図であり、図１(ｂ)は、実施形態に係る布団乾燥機の乾燥ユニットを斜め後下方から見た斜視図である。
図２は、実施形態の布団乾燥機の使用状態を斜め前方から見た斜視図である。
【００６２】
実施形態の布団乾燥機Ｆは、温風を吹き出す乾燥ユニット３を、従来の敷き布団の大きさとほぼ同じ大きさの布製の乾燥マットに替えて、小型薄型の箱 (筐体)形状ユニットにした構成に特徴がある。
布団乾燥機Ｆの使用時には、箱形状の乾燥ユニット３を、掛け布団９と敷き布団８との間に設置する。乾燥ユニット３は箱形状であるため、設置が容易である。
そして、ホース２から乾燥ユニット３に送られる温風Ｏを、乾燥ユニット３の全周面から外部に放出することで布団(９、８)の乾燥・暖めができる。
【００６３】
布団乾燥機Ｆは、乾燥機本体１とホース２と乾燥ユニット３とを備えている。
乾燥機本体１は、合成樹脂製の筺体１ｋで覆われ、布団乾燥機Ｆを制御するための図示しない制御装置やファンなどが搭載される。乾燥機本体１は、ファンにより温風Ｏを供給する。
【００６４】
ホース２は、乾燥機本体１から供給される温風Ｏを乾燥ユニット３に送る。ホース２は、様々な姿勢で乾燥ユニット３を使用できるように、樹脂やゴムなどで蛇腹状に屈曲自在に形成されている。ホース２は、乾燥ユニット３の一部に開口されるホース接続部口２ａ(図１(ｂ)参照)に取付けられている。
【００６５】
乾燥ユニット３は、布団を乾燥させる温風Ｏを吹き出すものであり、合成樹脂や樹脂を含浸した布状繊維等で厚さが薄い箱形状(筐体形状)に形成されている。つまり、乾燥ユニット３は、扁平な箱形状の小型乾燥ユニットに形成されている。乾燥ユニット３は、扁平な箱形状の小型乾燥ユニットに形成されるため、使用時に変形せず、布団間に入れるだけでセットでき、乾燥ユニット３の使用姿勢による乾燥性能への影響が殆どない。
【００６６】
乾燥ユニット３には、布団(９、８)に対して温風Ｏを吹き出す穴状の温風吹出し口として下記のものを有している。
乾燥ユニット３には、前部に配置される前部温風吹出し口３ａと、左右側部に配置される側部温風吹出し口３ｂと、後部に配置される後部温風吹出し口３ｃ(図１(ｂ)参照)と、上部及び下部に配置される上下部温風吹出し口３ｄとが設けられている。
【００６７】
ここで、図１の２点鎖線で示すように、側部温風吹出し口３ｂ、上下部温風吹出し口３ｄなどを、ホース２からの温風Ｏの流れ方向に長い長穴とすると望ましい。何故なら、側部・上下部温風吹出し口３ｂ、３ｄをホース２からの温風Ｏの流れ方向に長い長穴とすることで、温風Ｏが温風吹出し口(３ｂ、３ｄ)の外部に出易くなり、温風Ｏの吹き出し速度を速めることができるからである。
【００６８】
図３(ａ)は、実施形態の布団乾燥機の使用時の乾燥ユニットを上方から見た断面図である。図３(ｂ)は、実施形態の布団乾燥機の使用時の乾燥ユニットを側方から見た断面図である。
【００６９】
布団乾燥機Ｆは、使用に際して、図２に示すように、乾燥機本体１に接続されたホース２が、乾燥ユニット３のホース接続部口２ａに接続される。そして、敷き布団８の上に乾燥ユニット３が載置され、乾燥ユニット３上に掛け布団９が掛けられる。
【００７０】
使用者が、乾燥機本体１のスタート釦(図示せず)を押下すると、乾燥機本体１のファン(図示せず)が駆動し、乾燥機本体１からホース２内に温風Ｏが供給される。
【００７１】
乾燥ユニット３のホース取付口２ａから、乾燥ユニット３内に流れる温風Ｏは、乾燥ユニット３の前部吹出し口３ａ、側部温風吹出し口３ｂ、後部吹出し口３ｃ、上下部温風吹出し口３ｄを通過して、掛け布団９と敷き布団８に流れ込む。これにより、温風Ｏが布団(８、９)内を通気することにより、温風の空気の対流による乾燥を行うとともに温風の空気の熱伝導による乾燥が行われる。さらに、乾燥ユニット３の熱伝導による乾燥が行われる。これにより、掛け・敷き布団９、８内の湿気が布団(９、８)外に放出される。
【００７２】
図４(ａ)は、実施形態の布団乾燥機の使用時の他例の乾燥ユニットを上方から見た断面図であり、図４(ｂ)は、実施形態の布団乾燥機の使用時の他例の乾燥ユニットを側方から見た断面図である。
さらに、乾燥ユニット３に設けた側部温風吹出し口３ｂ、上下部温風吹出し口３ｄの内側には、制風板Ｃ１を設け、温風Ｏを制風板Ｃ１で案内することにより、側部温風吹出し口３ｂ、上下部温風吹出し口３ｄより温風Ｏ１が出易くしている。
【００７３】
このように、制風板Ｃ１が、温風Ｏを吹出し口(３ｂ、３ｄ)の外部に向かうように案内することで、温風Ｏが布団(９、８)の隅々まで行き渡るように構成することが望ましい。
なお、制風板Ｃ１は、各側部温風吹出し口３ｂ、各上下部温風吹出し口３ｄに設けた場合を示したが、温風吹出し口(３ａ、３ｂ、３ｃ、３ｄ)のうちの少なくとも何れかに設ける構成としてもよい。
【００７４】
ところで、従来の乾燥マットは、シングルサイズ布団に合わせた寸法（縦１．８ｍ横０．８ｍ）であるため、子供用布団及び幼児用布団には使用することができなかった。
そこで、本布団乾燥機Ｆは、掛け布団９や敷き布団８の大きさに十分に収まる小型の箱形状(筺体形状)の乾燥ユニット３の構成にすることで、使用時に乾燥ユニット３の姿勢やセットの手間が殆どなく、手軽に使用することができる。すなわち、乾燥ユニット３を箱 形状(筐体形状)構造とすることで、掛け・敷き布団９、８内に容易に設置できるようになり、大幅な使用性の向上を図れる。
【００７５】
本乾燥ユニット３では、従来の掛け布団９の掛け方による乾燥マットの皺や折り畳みなどの発生もない。つまり、温風Ｏが、箱形状(筺体形状)の乾燥ユニット３から布団(８、９)内の全方向に放出されることにより、従来布製の乾燥マット使用時の乾燥マットの皺・折り畳みなどで頻繁に発生する不具合を防止できる。
【００７６】
そして、ホース２からの温風Ｏを、掛け布団９及び敷き布団８内にほぼ均一に全ての方向に放出できる。そのため、掛け布団９の掛け方による温風Ｏのムラもなくせるので、掛け・敷き布団９、８の乾燥が容易にできる。従って、乾燥効率が良好である。
以上のことから、乾燥時間の短縮が可能であり、電力使用量も低減できる。そのため、省エネルギ化も併せて図れる。
【００７７】
加えて、乾燥ユニット３は小型の箱形状で構成されるので、一般的なシングルサイズ布団だけでなく、子供用・幼児用布団にも使用することが出来る。そのため、子供用布団の乾燥だけでなく、近年子供のアレルギーの要因であるダニ退治にも効率よく使用できるなど、乾燥ユニット３により、布団乾燥機Ｆの利用範囲が大幅に拡大できる。
【００７８】
加えて、乾燥ユニット３は、一般的な布団乾燥だけでなく、冬季には就寝前に乾燥ユニット３を掛け布団９と敷き布団８との間に挿入することで、手軽に布団の暖めに使うことができる等、乾燥性能向上と取扱い性改善と多彩な用途に使用できる布団乾燥機Ｆを得られる。
【００７９】
また、前記したように、乾燥ユニット３に設けた温風吹出し口(３ａ、３ｂ、３ｃ、３ｄ)は、布団(８、９)内全方向に乾燥効率よく温風Ｏを吹き出せる。更に、布団を均一に乾燥するため、穴形状及び穴の大きさ(図１の２点鎖線参照)を工夫し、掛け布団９と敷き布団８内に送風する温風Ｏを布団(８、９)内の隅々まで行き渡せる効果を高めている。
【００８０】
また、制風板Ｃ１を設けると、温風Ｏ１が外部空間に向けて案内されるのでより多くの温風Ｏ１を布団(８、９)に当てることができ、より望ましい。
このようにすることで、さらに乾燥時間が短縮され、更なる省エネルギ効果が得られる。
【００８１】
以上のことから、乾燥ユニット３に供給された温風Ｏを有効に利用し、布団(８、９)の乾燥時間を短縮し、利便性の向上が図れる。また、乾燥時間の短縮による電力使用量も低減し、省エネルギ化も併せて図れ、各種のサイズの布団(８、９)に使用できる布団乾燥機Ｆを得られる。
【００８２】
＜変形例１＞
図５は、変形例１の布団乾燥機Ｆの乾燥ユニット１３を斜め上前方から見た斜視図である。
変形例１の乾燥ユニット１３は、実施形態の乾燥ユニット３と異なる形状としたものである。
その他の構成は、実施形態の乾燥ユニット３と同様であるから同様な構成要素には同一の符号を付して示し、詳細な説明は省略する。
【００８３】
変形例１の乾燥ユニット１３は、前端部(一端部)の中央近辺に前端部側から中央付近にかけて切り欠いた形状の通気スペース１３Ｐを形成する。そして、ホース２が連結される後部側は、実施形態の乾燥ユニット３と同様、箱形の筺体形状としている。つまり、乾燥ユニット１３は、平面視で、略コの字状の形状をもつ扁平な箱形状(筐体形状)に合成樹脂や樹脂を含浸した布状繊維等で構成されている。
【００８４】
乾燥ユニット１３は、通気スペース１３Ｐの両脇に細長い箱形状をもって長手方向に延びる一対の脚部１３Ａが形成されている。
乾燥ユニット１３は、前端側の両脇に細長い形状をもつ一対の脚部１３Ａが形成されることにより、その中央部付近に、布団(８、９)に対して温風Ｏが吹き出すための空間である温風吹き出しスペース１３Ｐが形成される。そのため、乾燥ユニット１３の中央部付近の布団(８、９)に大きな風量の温風Ｏを当てることができ、乾燥を促進できる。
乾燥ユニット１３から温風Ｏを吹き出す温風吹出し口は以下のように形成されている。
【００８５】
乾燥ユニット１３の一対の脚部１３Ａの前端面を形成する前端縁１３Ａ１には、前部温風吹出し口１３ａが左右方向に長い矩形状の孔に形成されている。換言すれば、前部温風吹出し口１３ａは、乾燥ユニット１３が置かれる載置面Ｓに沿った方向に長い矩形状の孔に形成されている。
【００８６】
前部温風吹出し口１３ａが左右方向(載置面Ｓに沿った方向)に長い矩形状の孔に形成されることにより、温風Ｏを、布団(８、９)が延在する左右方向に前部温風吹出し口１３ａから広げて吹き出すことができる。そのため、前部温風吹出し口１３ａの左右方向の布団(８、９)の乾燥を促進できる。
【００８７】
また、乾燥ユニット１３の一対の脚部１３Ａの間の通気スペース１３Ｐを形成する中央凹部縁１３Ａ２に左右に長い凹部温風吹出し口１３ａ１が形成されている。凹部温風吹出し口１３ａ１が左右に長い孔であることで、乾燥ユニット１３の中央部に形成される通気スペース１３Ｐに左右方向に広げて温風Ｏを吹き出すことができる。
乾燥ユニット１３の上面側には上部温風吹出し口１３ｄｕが円形の形状に形成されている。上部温風吹出し口１３ｄｕが円形であることにより、掛け布団９に対して均等に温風Ｏを吹き出すことができる。
【００８８】
乾燥ユニット１３の下面側には下部温風吹出し口１３ｄｓが、上部温風吹出し口１３ｄｕと同等またはより大きな径の円形の形状に形成されている。下部温風吹出し口１３ｄｓが上部温風吹出し口１３ｄｕと同等またはより大きな径の円形であることにより、湿気が溜まり易い敷き布団８に対してより大きな風量または掛け布団９側と同等の風量の温風Ｏを、均等に吹き出すことができる。
【００８９】
乾燥ユニット１３の両側部には、一対の側部温風吹出し口１３ｂがそれぞれ長手方向(載置面Ｓに沿った方向)に長い形状をもって形成されている。一対の側部温風吹出し口１３ｂが長手方向に長い形状をもつことにより、乾燥ユニット１３の側方に位置する掛け布団９と敷き布団８とに、温風Ｏを広げて吹き出すことができる。
【００９０】
乾燥ユニット１３の後部には、実施形態の後部温風吹出し口３ｃ(図１(ｂ)参照)または前部温風吹出し口１３ａと同様な後部温風吹出し口１３ｃが形成されている。後部温風吹出し口１３ｃが形成されることで、乾燥ユニット１３の後部側の布団(８、９)に温風Ｏを当てることができる。
【００９１】
ここで、乾燥ユニット７に設けた温風吹出し口(１３ｂ、１３ｄｕ、１３ｄｓ)の内側に制風板を設け、温風Ｏが温風吹出し口(１３ｂ、１３ｄｕ、１３ｄｓ)の外部に効果的に送られるように、ホース２からの温風Ｏを温風吹出し口(１３ｂ、１３ｄｕ、１３ｄｓ)の外部に向かうように案内することが好ましい。制風板により、掛け布団９と敷き布団８内に送風する温風Ｏを布団(８、９)内の隅々まで行き渡せる効果が高まる。なお、温風吹出し口(１３ａ、１３ａ１、１３ｂ、１３ｃ、１３ｄｕ、１３ｄｓ)の少なくとも何れかに制風板を設ける構成としてもよい。
なお、前記実施形態の作用効果は同様に奏する。
【００９２】
＜変形例２＞
図６(ａ)は、変形例２のスタンドＴを立てた状態の乾燥ユニット２３を斜め上前方から見た斜視図であり、図６(ｂ)は、変形例２のスタンドＴを収納した状態の乾燥ユニット２３を斜め上前方から見た斜視図である。
【００９３】
変形例２の乾燥ユニット２３は、変形例１の乾燥ユニット１３の一対の脚部１３Ａのそれぞれの先端部に乾燥ユニット１３の載置面Ｓからの角度を変える収納式のスタンドＴを設けたものである。
これ以外の構成は、変形例１の構成と同様であるから、同様な構成要素には、同一の符号を付して示し、詳細な説明は省略する。
【００９４】
変形例２の乾燥ユニット２３は、一対の脚部２３Ａの前端縁２３Ａ１に、変形例１と同様、前部温風吹出し口２３ａが左右方向(乾燥ユニット２３が載置される載置面Ｓ)に沿って長い矩形に近い形の孔に形成されている。
そして、乾燥ユニット２３の一対の脚部２３Ａの先端部にはそれぞれ、スタンドＴが、前端縁２３Ａ１近くの下部に回転軸を有して回転自在に備わっている。そして、脚部２３Ａの先端下部には、スタンドＴを立てた状態に係止する係止部(図示せず)が備わっている。スタンドＴを立てる際には、スタンドＴを係止部に係止する。
【００９５】
また、スタンドＴと脚部２３Ａの先端下部とには、係合部と被係合部とが設けられ、弾性変形を利用して、係合部と被係合部とを係合して、スタンドＴを脚部２３Ａの下部に収納する。或いは、ストッパ部品、金属製のピンなどを用いてスタンドＴを脚部２３Ａの下部に収納した状態に固定する構成としてもよい。
【００９６】
上述の構成により、重い布団(８、９)など温風Ｏが布団(８、９)全体に行き渡りずらい場合には、 図６(ａ)に示すように、スタンドＴを係止部に係止してスタンドＴを立てる。これにより、それぞれの脚部２３Ａの先端部を高くして、掛け布団９または敷き布団８をもち上げ、温風Ｏを布団(８、９)の隅々まで行き渡らせる。
【００９７】
一方、布団(８、９)が軽い場合など、脚部２３Ａの先端部を高くする必要がない場合には、スタンドＴを回転させて脚部２３Ａの下部に係合して収納する(図６(ｂ)参照)。
【００９８】
変形例２の布団乾燥機Ｆによれば、重い布団(８、９)など温風Ｏが布団(８、９)に行き渡りずらい場合には、スタンドＴを立てて掛け布団９または敷き布団８をもち上げ、温風Ｏを布団(８、９)の隅々まで全体に行き渡らせることができる。これにより、乾燥効果を高めることができる。そのため、乾燥時間が短縮され、エネルギを効果的、効率的に使用でき、省エネルギ化が可能である。
【００９９】
一方、軽い布団(８、９)などスタンドＴが必要ない場合には、図６(ｂ)に示すように、スタンドＴを脚部２３Ａの先端下部に収納するので、使用者の邪魔になることはない。
そのため、布団(８、９)の重さなどに対応した乾燥が行える。
なお、変形例２では、スタンドＴで乾燥ユニット２３の脚部２３Ａの先端部を高くする角度を１つ変更する場合を例示したが、スタンドＴで乾燥ユニット２３の脚部２３Ａの先端部を高くする角度を２以上の角度に設定できる構成としてもよい。
【０１００】
＜変形例３＞
図７(ａ)、 (ｂ)は、変形例３の布団乾燥機Ｆの乾燥ユニット３３を斜め上前方から見た斜視図であり、それぞれ脚部３３Ａの長さを短、長に調整した場合を示している。
変形例３の乾燥ユニット３３は、変形例１の乾燥ユニット１３の一対の脚部１３Ａの長さを可変にしたものである。
これ以外の構成は、変形例１の構成と同様であるから、同様な構成要素には、同一の符号を付して示し、詳細な説明は省略する。
【０１０１】
変形例３の乾燥ユニット３３は、左右の一対の脚部３３Ａに嵌装される調整脚部３３Ｂがそれぞれ設けられる。そして、調整脚部３３Ｂの脚部３３Ａからの突出長さを調整して、左右の一対の箱状脚部(３３Ａ、３３Ｂ)の全長さを調整する構成である。
【０１０２】
各調整脚部３３Ｂの前端縁３３Ｂ１には、温風Ｏを吹き出すための前部温風吹出し口３３ｂがそれぞれ設けられている。前部温風吹出し口３３ｂは、乾燥ユニット３３の載置面Ｓに沿った方向に長く、調整脚部３３Ｂの前端縁３３Ｂ１の形状に沿った矩形状の大きな開口とされている。これにより、より風量が多い温風Ｏを調整脚部３３Ｂの先端側の方向に吹き出すことができる。
【０１０３】
箱状脚部(３３Ａ、３３Ｂ)の長さを調整する構成は以下のようにされている。
脚部３３Ａには、調整脚部３３Ｂの突出し長さに対応して位置調整用孔(図示せず)が複数形成されている。一方、調整脚部３３Ｂには、脚部３３Ａからの調整脚部３３Ｂの突出した長さを調整した後に固定する係合孔(図示せず)や雌ねじなどが設けられている。そして、調整脚部３３Ｂの突出した長さを調整した後に、脚部３３Ａの位置調整用孔に固定ピン(図示せず)、固定用雄ねじなどを挿通して、調整脚部３３Ｂの係合孔に係合したり、雌ねじに螺着するなどして、調整脚部３３Ｂの突出した長さを固定する。なお、調整脚部３３Ｂの脚部３３Ａへの固定は弾性変形を利用してもよい。
【０１０４】
これにより、大人用布団、子供用布団、幼児用布団など、布団の大きさに合わせて、乾燥ユニット３３の箱状脚部である脚部３３Ａ、調整脚部３３Ｂの全長さを調整できる。従って、使用者が乾燥させたい布団に適合させて、布団の乾燥を行える。
従って、布団の大きさに適合した乾燥ユニット３３の状態で乾燥を行うことができ、最も短時間で効果的、効率的な布団の乾燥が行える。
【０１０５】
そのため、布団の乾燥を布団に適合した構成で短時間で行えるので、布団乾燥機Ｆが使用者にとって使い易く、取扱性がよい。
結果として、布団乾燥機Ｆの消費電力を低減でき、省エネルギ化が可能である。
なお、上記変形例３では、箱状脚部を、脚部３３Ａと調整脚部３３Ｂとの２つの部材で構成する場合を例示したが、箱状脚部を、３つ以上の部材で構成してもよい。
また、箱状脚部の長さは２段階に調整できる構成を例示したが、３段階以上または連続的に長さを調整できる構成としてもよい。
【０１０６】
＜変形例４＞
図８(ａ)は、変形例４の布団乾燥機の脚部を延ばさない状態の乾燥ユニットを斜め上前方から見た斜視図であり、 図８(ｂ)は、変形例４の布団乾燥機の脚部を前後左右方向に延ばした状態の乾燥ユニットを斜め上前方から見た斜視図である。
変形例４の乾燥ユニット４３は、変形例１の乾燥ユニット１３の一対の脚部１３Ａの長さを可変にするとともに、左右の幅方向に伸び縮み可能としたものである。
これ以外の構成は、変形例１の構成と同様であるから、同様な構成要素には、同一の符号を付して示し、詳細な説明は省略する。
【０１０７】
変形例４の乾燥ユニット４３は、左右の一対の脚部４３Ａと一対の脚部４３Ａの根元部を形成する本体部４３Ｈとを具備している。
本体部４３Ｈは、本体下部体４７と本体上部体４８とを有している。本体下部体４７は、本体部４３Ｈの下部を構成し、本体上部体４８は、本体部４３Ｈの上部を構成する。
【０１０８】
左右の一対の脚部４３Ａには、前後方向に本体部４３Ｈから延び縮みできる調整脚部４３Ｂがそれぞれ嵌装されている。この構成により、各調整脚部４３Ｂの脚部４３Ａからの突出長さを調整して、左右の一対の箱状脚部(４３Ａ、４３Ｂ)の全長さを調整する構成である。
【０１０９】
また、乾燥ユニット４３は、左右の一対の脚部４３Ａが本体部４３Ｈから左右方向（幅方向）に延び縮みできるように構成されている。
上述の構成により、乾燥ユニット４３は、前後方向に比較的長い布団に使用する場合は、調整脚部４３Ｂを脚部４３Ａから延ばして使用される（図８（ｂ）の矢印α１１参照）。一方、前後方向に比較的短い布団に使用する場合は、調整脚部４３Ｂを脚部４３Ａ内に収容した状態で使用される（図８（ａ）の矢印α１２参照）。
【０１１０】
乾燥ユニット４３は、左右方向に比較的幅が広い布団に使用する場合は、左右の一対の脚部４３Ａが本体部４３Ｈから左右方向（幅方向）に広げた状態で使用される（図８（ｂ）の矢印α２１参照）。一方、左右方向に比較的幅が狭い布団に使用する場合は、左右の一対の脚部４３Ａが本体部４３Ｈから左右方向（幅方向）に広げない状態で使用される（図８（ｂ）の矢印α２２参照）。
【０１１１】
なお、図８（ａ）は、左右の一対の調整脚部４３Ｂを脚部４３Ａ内に前後方向に収容した状態であるとともに、左右の一対の脚部４３Ａが本体部４３Ｈから左右方向（幅方向）に広げない状態を示す。一方、図８（ｂ）は、左右の一対の調整脚部４３Ｂを脚部４３Ａから前後方向に延ばした状態であるとともに、左右の一対の脚部４３Ａが本体部４３Ｈから左右方向（幅方向）に延ばした状態を示す。
【０１１２】
左右の一対の脚部４３Ａとそれぞれに嵌装される左右の一対の調整脚部４３Ｂは、左右対称であって同様な構成であるから、向かって左側の脚部４３Ａとこれに嵌装される調整脚部４３Ｂについて説明を行い、向かって右側の脚部４３Ａとこれに嵌装される調整脚部４３Ｂについての説明は省略する。
【０１１３】
＜下脚部４５＞
図９（ａ）は、下脚部の内側を見た斜視図であり、図９（ｂ）は、上脚部の内側を見た斜視図である。図１０は、脚部を下方から見た下面図である。
脚部４３Ａは、下脚部４５と上脚部４６とを有している。下脚部４５と上脚部４６とは、互いに対向させて組立てられ、脚部４３Ａとされる（図８（ａ）参照）。
図９（ａ）に示す下脚部４５は、射出成形で形成される樹脂成形品である。
【０１１４】
下脚部４５は、下板４５ａと外側板４５ｂと内側板４５ｃとを有している。
下脚部４５の外側板４５ｂには、下吹出し口ｓｂ１、ｓｂ２、ｓｂ３と、下後部吹出し口１３ｃ１とが切り欠き状に形成されている。
下吹出し口ｓｂ１、ｓｂ２、ｓｂ３は、それぞれ温風吹出し口１３ｂ（図８（ａ）参照）の下側を形成する。
【０１１５】
下後部吹出し口１３ｃ１は、後部温風吹出し口１３ｃの下側を形成する。
また、下脚部４５の外側板４５ｂには、上脚部４６を下脚部４５に取り付けるための係合孔４５ｋ１、４５ｋ２、４５ｋ３、４５ｋ４が形成されている。
外側板４５ｂの先端縁には、内側縁に沿って外側縁から凹んだ内側縁リブ４５ｒ１が前後方向に亘って形成されている。外側板４５ｂの内側縁リブ４５ｒ１は、下脚部４５を上脚部４６に組み付けるための案内リブである。
【０１１６】
下脚部４５の内側板４５ｃには、上脚部４６を下脚部４５に取り付けるための係合孔４５ｋ５、４５ｋ６、４５ｋ７が形成されている。
内側板４５ｃの先端縁には、内側縁に沿って外側縁から凹んだ内側縁リブ４５ｒ２が全体に亘って形成されている。内側板４５６の内側縁リブ４５ｒ２は、下脚部４５に上脚部４６を組み付けるための案内リブである。
【０１１７】
下脚部４５の下板４５ａには、下部温風吹出し口１３ｄｓが開口されている。また、下板４５ａには、第１取付案内ボス４５ｄ、第２取付案内ボス４５ｅ、第３取付案内ボス４５ｆが立設されている。下板４５ａの第１取付案内ボス４５ｄ、第２取付案内ボス４５ｅ、第３取付案内ボス４５ｆにそれぞれ対向する下方には、それぞれザグリ穴４５ｄｚ、４５ｅｚ、４５ｆｚ（図１０参照）が下板４５ａの下面から形成されている。
【０１１８】
第１取付案内ボス４５ｄは、その外径より小さい内径の半貫通孔４５ｄ１と、半貫通孔４５ｄ１より小さい内径の貫通孔４５ｄ２が形成されている。
第２取付案内ボス４５ｅは、その外径より小さい内径の半貫通孔４５ｅ１と、半貫通孔４５ｅ１より小さい内径の貫通孔４５ｅ２が形成されている。
【０１１９】
第３取付案内ボス４５ｆは、その外径より小さい内径の半貫通孔４５ｆ１と、半貫通孔４５ｆ１より小さい内径の貫通孔４５ｆ２が形成されている。
また、下脚部４５の下板４５ａには、調整脚部４３Ｂを案内するための第１案内リブ４５ｇ１が形成されている。また、下板４５ａには、脚部４３Ａの本体部４３Ｈに対して幅方向（左右方向）の運動を案内する第２案内リブ４５ｇ２、および第３案内リブ４５ｇ３が形成されている。
【０１２０】
第１案内リブ４５ｇ１は、調整脚部４３Ｂを前後方向に案内するように、前後方向に直線状に延びて上方に突出する形状を有している。
第２・第３案内リブ４５ｇ２、４５ｇ３は、脚部１３Ａが本体部４３Ｈに対して幅方向（左右方向）の伸び縮みする運動を案内すべく、幅方向に直線状に延びて上方に突出する形状を有している。
【０１２１】
＜上脚部４６＞
図９（ｂ）に示す上脚部４６は、上板４６ａと外側板４６ｂと内側板４６ｃとを有している。
上脚部４６の外側板４６ｂには、上吹出し口ｕｂ１、ｕｂ２、ｕｂ３と、上後部吹出し口１３ｃ２とが切り欠き状に形成されている。
上吹出し口ｕｂ１、ｕｂ２、ｕｂ３は、それぞれ温風吹出し口１３ｂ（図８（ａ）参照）の上側を形成する。
上後部吹出し口１３ｃ２は、後部温風吹出し口１３ｃの上側を形成する。
【０１２２】
また、上脚部４６の外側板４６ｂには、上脚部４６を下脚部４５に取り付けるための４つの爪部（図示せず）が外側板４５ｂの係合孔４５ｋ１、４５ｋ２、４５ｋ３、４５ｋ４に対向した位置に内側に突出した形状に形成されている。
【０１２３】
上脚部４６の外側板４６ｂの４つの爪部が、下脚部４５の外側板４５ｂの係合孔４５ｋ１、４５ｋ２、４５ｋ３、４５ｋ４に係合することで、上脚部４６が下脚部４５に組み付けられる。
外側板４６ｂの先端縁には、外側縁に沿って内側が凹んだ外側縁リブ４６ｒ１が外側縁全体に亘って形成されている。外側板４６ｂの外側縁リブ４６ｒ１は、上脚部４６を下脚部４５に組み付けるための案内リブである。
【０１２４】
上脚部４６の内側板４６ｃには、上脚部４６を下脚部４５に取り付けるための爪部４６ｔ５、４６ｔ６、４６ｔ７が内側に突出して形成されている。
内側板４６ｃの先端縁には、外側縁に沿って内側が凹んだ外側縁リブ４６ｒ２が外側縁全体に亘って形成されている。内側板４６ｃの外側縁リブ４６ｒ２は、上脚部４６を下脚部４５に組み付けるための案内リブである。
【０１２５】
上脚部４６の上板４６ａには、上部温風吹出し口１３ｄｕが開口されている。また、上板４６ａには、第１取付案内ボス４６ｄ、第２取付案内ボス４６ｅ、および第３取付案内ボス４６ｆが立設されている。  第１取付案内ボス４６ｄは、小さい外径の第１ボス部４６ｄ１と、第１ボス部４６ｄ１より大きな外径の第２ボス部４６ｄ２とを有している。第１取付案内ボス４６ｄの中央部には、雌ねじ４６ｄ３が下方から上方（図９（ｂ）の左側から右側）に向けて螺刻されている。
【０１２６】
第２取付案内ボス４６ｅは、小さい外径の第１ボス部４６ｅ１と、第１ボス部４６ｅ１より大きな外径の第２ボス部４６ｅ２とを有している。第２取付案内ボス４６ｅの中央部には、雌ねじ４６ｅ３が下方から上方（図９（ｂ）の左側から右側）に向けて螺刻されている。
【０１２７】
第３取付案内ボス４６ｆは、小さい外径の第１ボス部４６ｆ１と、第１ボス部４６ｆ１より大きな外径の第２ボス部４６ｆ２とを有している。第３取付案内ボス４６ｆの中央部には、雌ねじ４６ｆ３が下方から上方（図９（ｂ）の左側から右側）に向けて螺刻されている。
【０１２８】
また、下脚部４６の上板４６ａには、調整脚部４３Ｂを案内するための第１案内リブ４６ｇ１、第２案内リブ４６ｇ２、および第３案内リブ４６ｇ３が形成されている。
第１案内リブ４６ｇ１は、調整脚部４３Ｂを前後方向に案内するためのリブであり、前後方向に直線状に延びて上方に突出した形状を有している。
【０１２９】
第２・第３案内リブ４６ｇ２、４６ｇ３は、脚部１３Ａが本体部４３Ｈに対して幅方向（左右方向）に伸び縮みする運動を案内するリブであり、幅方向に直線状に延びて上方に突出した形状を有している。
上板４６ａに形成される第１取付案内ボス４６ｄの第１ボス部４６ｄ１は、下脚部４６の下板４５ａの第１取付案内ボス４５ｄの半貫通孔４５ｄ１に嵌入される。そして、図１０に示すように、ねじｎ１が下方（図８（ａ）の下側）から下板４５ａの貫通孔４５ｄ２を挿通して、上板４６ａの第１取付案内ボス４６ｄの雌ねじ４６ｄ３に螺着される。なお、図１０は、左側の脚部４３Ａを下方から見た下面図である。
【０１３０】
上板４６ａに形成される第２取付案内ボス４６ｅの第１ボス部４６ｅ１は、下脚部４６の下板４５ａの第２取付案内ボス４５ｅの半貫通孔４５ｅ１に嵌入される。そして、図１０に示すように、ねじｎ２が下方（図８（ａ）の下側）から下板４５ａの貫通孔４５ｅ２を挿通して、上脚部４６の上板４６ａの第２取付案内ボス４６ｅの雌ねじ４６ｅ３に螺着される。
【０１３１】
上板４６ａに形成される第３取付案内ボス４６ｆの第１ボス部４６ｆ１は、下脚部４６の下板４５ａの第３取付案内ボス４５ｆの半貫通孔４５ｆ１に嵌入される。そして、図１０に示すように、ねじｎ３が下方（図８（ａ）の下側）から下板４５ａの貫通孔４５ｆ２を挿通して、上脚部４６の上板４６ａの第３取付案内ボス４６ｆの雌ねじ４６ｆ３に螺着される。
これにより、上脚部４６に下脚部４５が取り付けられる。
【０１３２】
＜調整脚部４３Ｂ＞
図１１（ａ）は、調整脚部を前方側から見た前面図であり、図１１（ｂ）は、調整脚部を上方から見た上面図であり、図１１（ｃ）は、調整脚部を上方斜め後方から見た斜視図である。
図１１（ｃ）に示すように、調整脚部４３Ｂは、前後方向に長い箱形状を成している。
調整脚部４３Ｂの前端縁４３Ｂ１を形成する前面板の中央には、前部温風吹出し口４３ｂが開口されている。調整脚部４３Ｂの後端縁は、開口されている。
【０１３３】
調整脚部４３Ｂの上面板４３Ｂ２の右後部には、前後方向に長い略長穴形状の長穴４３ｂ１が開口されている。
長穴４３ｂ１の前方端には、略半円形状の短縮動作ストッパ４３ｂ２が形成される一方、その後方端には、略半円形状の延長動作ストッパ４３ｂ３が形成されている。
長穴４３ｂ１には、脚部４３Ａの上脚部４６の第２ボス部４６ｄ２（図９（ｂ）参照）が嵌入され、調整脚部４３Ｂが第２ボス部４６ｄ２が嵌入された状態で前後方向にスライド（摺動）する。
【０１３４】
そのため、長穴４３ｂ１の幅寸法ｓ１は、上脚部４６の第２ボス部４６ｄ２の径より若干大きな寸法を有している。
長穴４３ｂ１の中央側の前方端の短縮動作ストッパ４３ｂ２のやや後方には、短縮クリックリブ４３ｂ４が形成されている。
【０１３５】
短縮クリックリブ４３ｂ４は、弾性変形するように、前後方向に延びる形状を有して形成されており、その先端部には長穴４３ｂ１の中央側に突出する半円形状の短縮ストップ凸部４３ｋ１を有している。
【０１３６】
同様に、長穴４３ｂ１の中央側の後方端の延長動作ストッパ４３ｂ３のやや前方には、延長クリックリブ４３ｂ５が形成されている。
延長クリックリブ４３ｂ５は、弾性変形するように、前後方向に延びる形状を有して形成されており、その先端部には長穴４３ｂ１の中央側に突出する半円形状の延長ストップ凸部４３ｋ２を有している。
【０１３７】
調整脚部４３Ｂの上面板４３Ｂ２の向かって左側には、前後方向に一直線状に延びて下方に凹んだ形状の調整脚伸縮案内凹部４３ｂ６が凹設されている。調整脚伸縮案内凹部４３ｂ６は、上脚部４６の上板４６ａの第１案内リブ４６ｇ１が嵌入されて、調整脚部４３Ｂが脚部４３Ａに対して伸縮する。
【０１３８】
調整脚部４３Ｂの上面板４３Ｂ２の向かって右側には、前後方向に一直線状に延びて上方に突出する形状の調整脚伸縮上案内リブ４３ｂ７が突設されている。
調整脚部４３Ｂの左側板４３Ｂ３には、前側部温風吹出し口４３ｂ８と後側部温風吹出し口４３ｂ９とが開口されている。前側部温風吹出し口４３ｂ８は前後方向に長い矩形状の形状を有している。一方、後側部温風吹出し口４３ｂ９は正方形に近い形状を有している。
【０１３９】
調整脚部４３Ｂの下面板４３Ｂ４の右後部には、前後方向に長い略長穴形状の長穴４３ｂ１０が開口されている。長穴４３ｂ１０の前方端には、略半円形状の短縮動作ストッパ（図示せず）が形成される一方、その後方端には、略半円形状の延長動作ストッパ４３ｂ１１が形成されている。
【０１４０】
長穴４３ｂ１０には、脚部４３Ａの下脚部４５（図９（ａ）参照）の第１取付案内ボス４５ｄが嵌入され、調整脚部４３Ｂが第１取付案内ボス４５ｄが嵌入された状態で前後方向にスライド（摺動）する。
そのため、長穴４３ｂ１０の幅寸法ｓ２は、下脚部４５の第１取付案内ボス４５ｄの径より若干大きな寸法を有している。
【０１４１】
調整脚部４３Ｂの下面板４３Ｂ４の向かって左側には、前後方向に一直線状に延びて下方に凹んだ形状の調整脚伸縮案内凹部４３ｂ１３が凹設されている。調整脚伸縮案内凹部４３ｂ１２には、脚部４３Ａの下脚部４５の第１案内リブ４５ｇ１調整脚部４３Ｂが嵌入されて、調整脚部４３Ｂが脚部４３Ａに対して伸縮動作する。
調整脚部４３Ｂの下面板４３Ｂ４の向かって右側には、前後方向に一直線状に延びて上方に突出する形状の調整脚伸縮下案内リブ４３ｂ１３が突設されている。
【０１４２】
＜本体部４３Ｈ＞
図１２（ａ）は、本体部の本体下部体を上方から見た上面図であり、図１２（ｂ）は、図１２（ａ）のＡ−Ａ断面図である。図１３は、本体部の本体下部体を斜め上後方から見た斜視図である。
【０１４３】
図１４（ａ）は、本体部の本体上部体を上方から見た上面図であり、図１４（ｂ）は、図１４（ａ）のＢ−Ｂ断面図である。図１５は、本体部の本体上部体を斜め上後方から見た斜視図である。
図８（ａ）に示す本体部４３Ｈは、下部の本体下部体４７と上部の本体上部体４８とを有して構成される。
【０１４４】
＜本体下部体４７＞
図１２（ａ）、図１２（ｂ）、図１３に示すように、本体下部体４７は下面板４７ａと前側板４７ｂと後側板４７ｃとをもつほぼ平板状の形状を有している。
本体下部体４７の前側板４７ｂには、本体上部体４８を取り付けるための前係合孔４７ｋ１、４７ｋ１（図１３参照）が鉛直方向に形成されている。
本体下部体４７の後側板４７ｃには、本体上部体４８を取り付けるための後係合孔４７ｋ２、４７ｋ２が鉛直方向に形成されている。
本体下部体４７の下面板４７ａには、第１長穴４７ａ１、第２長穴４７ａ２、第１摺動感長穴４７ａ３、および第２摺動感長穴４７ａ４が形成されている。
【０１４５】
第１長穴４７ａ１の左方端には、略半円形状の延長動作ストッパ４７ｅ１が形成される一方、その右方端には、略半円形状の短縮動作ストッパ４７ｓ１が形成されている。第１長穴４７ａ１には、向かって左の脚部４３Ａの下脚部４５の第２取付案内ボス４５ｅ（図９（ａ）参照）が嵌入されて、脚部４３Ａが左右方向に延び縮みする（図８（ｂ）の矢印α２１、図８（ａ）の矢印α２２参照）。
【０１４６】
そのため、第１長穴４７ａ１の幅寸法ｓ４ａは、脚部４３Ａの下脚部４５の第２取付案内ボス４５ｅの径より若干大きな寸法を有している。
第２長穴４７ａ２の右方端には、略半円形状の延長動作ストッパ４７ｅ２が形成される一方、その左方端には、略半円形状の短縮動作ストッパ４７ｓ２が形成されている。
第２長穴４７ａ２には、向かって右の脚部４３Ａの下脚部４５の第２取付案内ボス４５ｅ（図９（ａ）参照）が嵌入されて、脚部４３Ａが左右方向に延び縮みする（図８（ｂ）の矢印α２１、図８（ａ）の矢印α２２参照）。
【０１４７】
そのため、第２長穴４７ａ２の幅寸法ｓ４ｂ（図１２参照）は、脚部４３Ａの下脚部４５の第２取付案内ボス４５ｅの径より若干大きな寸法を有している。
第１摺動感長穴４７ａ３は、長穴形状を有している。第１摺動感長穴４７ａ３の左方端には、略半円形状の延長動作ストッパ４７ｅ３が形成される一方、第１摺動感長穴４７ａ３の右方端には、略半円形状の短縮動作ストッパ４７ｓ３が形成されている。
【０１４８】
第１摺動感長穴４７ａ３には、脚部４３Ａの下脚部４５の（図９（ａ）参照）の第３取付案内ボス４５ｆが嵌入され、脚部４３Ａが、第３取付案内ボス４５ｆが嵌入された状態で左右方向にスライド（摺動）する構成である。
【０１４９】
そのため、第１摺動感長穴４７ａ３の幅寸法ｓ５ａは、下脚部４５の第３取付案内ボス４５ｆ（図９（ａ）参照）の径より若干大きな寸法を有している。
第１摺動感長穴４７ａ３の中央側の左方端の延長動作ストッパ４７ｅ３のやや右方には、延長リックリブ４７ｂ１が形成されている。
【０１５０】
延長リックリブ４７ｂ１は、弾性変形するように、左右方向に延びる形状を有して形成されており、その先端部には第１摺動感長穴４７ａ３の中央側に突出する半円形状の延長ストップ凸部４７ｔ１を有している。
第１摺動感長穴４７ａ３の中央側の右方端の短縮動作ストッパ４７ｓ３のやや左方には、短縮リックリブ４７ｂ２が形成されている。
【０１５１】
短縮リックリブ４７ｂ２は、弾性変形するように、左右方向に延びる形状を有して形成されており、その先端部には第１摺動感長穴４７ａ３の中央側に突出する半円形状の短縮ストップ凸部４７ｔ２を有している。
第２摺動感長穴４７ａ４は、長穴形状を有している。
第２摺動感長穴４７ａ４の右方端には、略半円形状の延長動作ストッパ４７ｅ４が形成される一方、第２摺動感長穴４７ａ４の左方端には、略半円形状の短縮動作ストッパ４７ｓ４が形成されている。
【０１５２】
第２摺動感長穴４７ａ４には、向かって右側の脚部４３Ａの下脚部４５の（図９（ａ）参照）の第３取付案内ボス４５ｆが嵌入され、向かって右側の脚部４３Ａが、第３取付案内ボス４５ｆが嵌入された状態で左右方向にスライド（摺動）する構成である。
そのため、第１摺動感長穴４７ａ３の幅寸法ｓ５ｂは、向かって右側の下脚部４５の第３取付案内ボス４５ｆ（図９（ａ）参照）の径より若干大きな寸法を有している。
【０１５３】
第２摺動感長穴４７ａ４の中央側の右方端の延長動作ストッパ４７ｅ４のやや右方には、延長リックリブ４７ｂ３が形成されている。
延長リックリブ４７ｂ３は、弾性変形するように、左右方向に延びる形状を有して形成されており、その先端部には第２摺動感長穴４７ａ４の中央側に突出する半円形状の短縮ストップ凸部４７ｔ３を有している。
【０１５４】
第２摺動感長穴４７ａ４の中央側の左方端の短縮動作ストッパ４７ｓ４のやや右方には、短縮リックリブ４７ｂ４が形成されている。
短縮リックリブ４７ｂ４は、弾性変形するように、左右方向に延びる形状を有して形成されており、その先端部には第２摺動感長穴４７ａ４の中央側に突出する半円形状の短縮ストップ凸部４７ｔ４を有している。
【０１５５】
本体下部体４７の下面板４７ａの中央には中央ボス４７ｆが立設されている。中央ボス４７ｆには、下方からザクリ穴４７ｆ１（図１２（ｂ）参照）が形成されており、中央部には、貫通孔４７ｆ２が貫設され、上方からザクリ穴４７ｆ３（図１２（ｂ）参照）が形成されている。
【０１５６】
本体下部体４７の向かって左側には、前から第１左ボス４７ｇ、第２左ボス４７ｈ、第３左ボス４７ｉ、および第４左ボス４７ｊが立設されている。
第１左ボス４７ｇ、第２左ボス４７ｈ、第３左ボス４７ｉ、および第４左ボス４７ｊは、中央ボス４７ｆと同様、それぞれ下方からザクリ穴４７ｇ１、４７ｈ１、４７ｉ１、４７ｊ１が形成されており、中央部には、それぞれ貫通孔４７ｇ２、４７ｈ２、４７ｉ２、４７ｊ２が貫設され、ザクリ穴４７ｇ３、４７ｈ３、４７ｉ３、４７ｊ３が形成されている。
【０１５７】
本体下部体４７の向かって右側には、前から第１右ボス４７ｌ、第２右ボス４７ｍ、第３右ボス４７ｎ、および第４右ボス４７ｏが立設されている。
第１右ボス４７ｌ、第２右ボス４７ｍ、第３右ボス４７ｎ、および第４右ボス４７ｏは、中央ボス４７ｆと同様、それぞれ下方からザクリ穴４７ｌ１、４７ｍ１、４７ｎ１、４７ｏ１が形成されており、中央部には、それぞれ貫通孔４７ｌ２、４７ｍ２、４７ｎ２、４７ｏ２が貫設され、ザクリ穴４７ｌ３、４７ｍ３、４７ｎ３、４７ｏ３が形成されている。
【０１５８】
＜本体上部体４８＞
図１４（ａ）、図１４（ｂ）、図１５に示すように、本体上部体４８は上面板４８ａと前側板４８ｂと後側板４８ｃとをもつほぼ平板状の形状を有している。
本体上部体４８の前側板４８ｂには、本体下部体４７を取り付けるための前突起部４８ｔ１が後方に突出して形成されている。前突起部４８ｔ１は弾性変形して、本体下部体４７の前係合孔４７ｋ１に係合される。
【０１５９】
本体上部体４８の後側板４８ｃには、本体下部体４７を取り付けるための後突起部４８ｔ２（図１４（ｂ）参照）が前方に突出して形成されている。後突起部４８ｔ２は弾性変形して、本体下部体４７の後係合孔４７ｋ２に係合される。
本体上部体４８の上面板４８ａには、第１摺動感長穴４８ａ１、第２摺動感長穴４８ａ２、第１長穴４８ａ３、および第２長穴４８ａ４が形成されている。
【０１６０】
第１摺動感長穴４８ａ１は、長穴形状を有している。第１摺動感長穴４８ａ１の左方端には、略半円形状の延長動作ストッパ４８ｅ１が形成される一方、第１摺動感長穴４８ａ１の右方端には、略半円形状の短縮動作ストッパ４８ｓ１が形成されている。
第１摺動感長穴４８ａ１には、脚部４３Ａの上脚部４６の（図９（ｂ）参照）の第２取付案内ボス４６ｅの第２ボス部４６ｅ２が嵌入され、脚部４３Ａが、第２取付案内ボス４６ｅの第２ボス部４６ｅ２が嵌入された状態で左右方向にスライド（摺動）する構成である。
【０１６１】
そのため、第１摺動感長穴４８ａ１の幅寸法ｓ６は、上脚部４６の第２取付案内ボス４６ｅの第２ボス部４６ｅ２（図９（ｂ）参照）の径より若干大きな寸法を有している。
第１摺動感長穴４８ａ１の中央側の左方端の延長動作ストッパ４８ｅ１のやや右方には、延長リックリブ４８ｂ１が形成されている。
延長リックリブ４８ｂ１は、弾性変形するように、左右方向に延びる形状を有して形成されており、その先端部には第１摺動感長穴４８ａ１の中央側に突出する半円形状の延長ストップ凸部４８ｔ１を有している。
【０１６２】
第１摺動感長穴４８ａ１の中央側の右方端の短縮動作ストッパ４８ｓ１のやや左方には、短縮リックリブ４８ｂ２が形成されている。
短縮リックリブ４８ｂ２は、弾性変形するように、左右方向に延びる形状を有して形成されており、その先端部には第１摺動感長穴４８ａ１の中央側に突出する半円形状の短縮ストップ凸部４８ｔ２を有している。
【０１６３】
第２摺動感長穴４８ａ２は、長穴形状を有している。第２摺動感長穴４８ａ２の右方端には、略半円形状の延長動作ストッパ４８ｅ２が形成される一方、第２摺動感長穴４８ａ２の左方端には、略半円形状の短縮動作ストッパ４８ｓ２が形成されている。
第２摺動感長穴４８ａ２には、向かって右側の脚部４３Ａの上脚部４６の（図９（ｂ）参照）の第２取付案内ボス４６ｅの第２ボス部４６ｅ２が嵌入され、向かって右側の脚部４３Ａが、第２取付案内ボス４６ｅの第２ボス部４６ｅ２が嵌入された状態で左右方向にスライド（摺動）する構成である。
【０１６４】
そのため、第２摺動感長穴４８ａ２の幅寸法ｓ７は、向かって右側の上脚部４６の第２取付案内ボス４６ｅの第２ボス部４６ｅ２（図９（ｂ）参照）の径より若干大きな寸法を有している。
第２摺動感長穴４８ａ２の中央側の右方端の延長動作ストッパ４８ｅ２のやや左方には、延長リックリブ４８ｂ３が形成されている。
【０１６５】
延長リックリブ４８ｂ３は、弾性変形するように、左右方向に延びる形状を有して形成されており、その先端部には第２摺動感長穴４８ａ２の中央側に突出する半円形状の延長ストップ凸部４８ｔ３を有している。
第２摺動感長穴４８ａ２の中央側の左方端の短縮動作ストッパ４８ｓ２のやや右方には、短縮リックリブ４８ｂ４が形成されている。
【０１６６】
短縮リックリブ４８ｂ４は、弾性変形するように、左右方向に延びる形状を有して形成されており、その先端部には第２摺動感長穴４８ａ２の中央側に突出する半円形状の短縮ストップ凸部４８ｔ４を有している。
【０１６７】
第１長穴４８ａ３の左方端には、略半円形状の延長動作ストッパ４８ｅ３が形成される一方、その右方端には、略半円形状の短縮動作ストッパ４８ｓ３が形成されている。第１長穴４８ａ３には、向かって左の脚部４３Ａの上脚部４６の第２ボス部４６ｆ２（図９（ｂ）参照）が嵌入されて、脚部４３Ａが左右方向に延び縮みする（図８（ｂ）の矢印α２１、図８（ａ）の矢印α２２参照）。
【０１６８】
そのため、第１長穴４８ａ３の幅寸法ｓ８は、脚部４３Ａの上脚部４６の第２ボス部４６ｆ２の径より若干大きな寸法を有している。
第２長穴４８ａ４の右方端には、略半円形状の延長動作ストッパ４８ｅ４が形成される一方、その左方端には、略半円形状の短縮動作ストッパ４８ｓ４が形成されている。  第２長穴４８ａ４には、向かって右の脚部４３Ａの上脚部４６の第２ボス部４６ｆ２（図９（ｂ）参照）が嵌入されて、脚部４３Ａが左右方向に延び縮みする（図８（ｂ）の矢印α２１、図８（ａ）の矢印α２２参照）。
【０１６９】
そのため、第２長穴４８ａ４の幅寸法ｓ９は、脚部４３Ａの上脚部４６の第２ボス部４６ｆ２の径より若干大きな寸法を有している。
図１４（ｂ）に示すように、本体上部体４８の上面板４８ａの中央には中央ボス４８ｐが立設されている。中央ボス４８ｐの中央部には、雌ねじ４８ｐ１が下方から上方に向けて螺刻されている。
【０１７０】
本体上部体４８の向かって左側には、前から図１３に示す本体下部体４７の第１左ボス４７ｇ、第２左ボス４７ｈ、第３左ボス４７ｉ、および第４左ボス４７ｊに対向して、図１７に示すように、第１左ボス４８ｑ、第２左ボス４８ｒ、第３左ボス４８ｓ、および第４左ボス（図示せず）が立設されている。
【０１７１】
第１左ボス４８ｑ、第２左ボス４８ｒ、第３左ボス４８ｓ、および第４左ボスは、中央ボス４８ｐ（図１８（ｂ）参照）と同様、それぞれ雌ねじ（図示せず）が下方から上方に向けて螺刻されている。
【０１７２】
本体上部体４８の向かって右側には、前から図１３に示す本体下部体４７の第１右ボス４７ｌ、第２右ボス４７ｍ、第３右ボス４７ｎ、および第４右ボス４７ｏに対向して、図１７に示すように、第１右ボス４８ｔ、第２右ボス４８ｕ、第３右ボス４８ｖ、および第４右ボス４８ｗが立設されている。
【０１７３】
第１右ボス４８ｔ、第２右ボス４８ｕ、第３右ボス４８ｖ、および第４右ボス４８ｗは、中央ボス４８ｐと同様、それぞれ雌ねじ（図示せず）が下方から上方に向けて螺刻されている。
【０１７４】
＜乾燥ユニット４３の組立て＞
次に、乾燥ユニット４３の組立てについて説明する。
図１２（ａ）に示す本体下部体４７の第１左ボス４７ｇ、第２左ボス４７ｈ、第３左ボス４７ｉ、および第４左ボス４７ｊと第１右ボス４７ｌ、第２右ボス４７ｍ、第３右ボス４７ｎ、および第４右ボス４７ｏのそれぞれのザクリ穴４７ｇ３、４７ｈ３、４７ｉ３、４７ｊ３、４７ｌ３、４７ｍ３、４７ｎ３、４７ｏ３に、図１７に示す本体上部体４８の第１左ボス４８ｑ、第２左ボス４８ｒ、第３左ボス４８ｓ、および第４左ボスと第１右ボス４８ｔ、第２右ボス４８ｕ、第３右ボス４８ｖ、および第４右ボス４８ｗをそれぞれ嵌入し、図１３に示す本体下部体４７の前係合孔４７ｋ１、４７ｋ１と後係合孔４７ｋ２、４７ｋ２に、図１８（ｂ）に示す本体上部体４８の前突起部４８ｔ１と後突起部４８ｔ２とを弾性変形させて係合する。
【０１７５】
その後、８本のねじ（図示せず）をそれぞれ図１２（ａ）に示す本体下部体４７の第１左ボス４７ｇ、第２左ボス４７ｈ、第３左ボス４７ｉ、および第４左ボス４７ｊと第１右ボス４７ｌ、第２右ボス４７ｍ、第３右ボス４７ｎ、および第４右ボス４７ｏのそれぞれの貫通孔４７ｇ２、４７ｈ２、４７ｉ２、４７ｊ２、４７ｌ２、４７ｍ２、４７ｎ２、４７ｏ２を下方から上方に挿通させて、それぞれ図１７に示す本体上部体４８の第１左ボス４８ｑ、第２左ボス４８ｒ、第３左ボス４８ｓ、および第４左ボスと第１右ボス４８ｔ、第２右ボス４８ｕ、第３右ボス４８ｖ、および第４右ボス４８ｗの各雌ねじに螺着する。
これにより、本体上部体４８が本体下部体４７に固定され、本体部４３Ｈが形成される。
【０１７６】
一方、左右の脚部４３Ａの下脚部４５（図９（ａ）参照）の第１取付案内ボス４５ｄを、それぞれ左右の調整脚部４３Ｂ（図１１参照）の下面板４３Ｂ４の長穴４３ｂ１０に嵌入する。同時に、脚部４３Ａの向かって左側の下脚部４５の第２取付案内ボス４５ｅと第３取付案内ボス４５ｆを、それぞれ本体部４３Ｈの本体下部体４７（図１２（ａ）参照）の第１長穴４７ａ１と第１摺動感長穴４７ａ３に嵌入するとともに、脚部４３Ａの向かって右側の下脚部４５（図９（ａ）参照）の第２取付案内ボス４５ｅと第３取付案内ボス４５ｆを、それぞれ本体部４３Ｈの本体下部体４７（図１２（ａ）参照）の第２長穴４７ａ２と第２摺動感長穴４７ａ４に嵌入する。
【０１７７】
そして、脚部４３Ａの上脚部４６（図９（ｂ）参照）の第１取付案内ボス４６ｄの第２ボス部４６ｄ２を、向かって左側の調整脚部４３Ｂ（図１１参照）の上面板４３Ｂ２の長穴４３ｂ１に嵌入する。同時に、向かって左側の脚部４３Ａの第１ボス部４６ｅの第２ボス部４６ｅ２と第３取付案内ボス４６ｆの第２ボス部４６ｆ２を、それぞれ本体部４３Ｈの本体上部体４８（図１８（ａ）参照）の第１摺動感長穴４８ａ１と第１長穴４８ａ３に嵌入するとともに、向かって右側の脚部４３Ａの上脚部４６（図９（ｂ）参照）の第１ボス部４６ｅの第２ボス部４６ｅ２と第３取付案内ボス４６ｆの第２ボス部４６ｆ２を、それぞれ本体部４３Ｈの本体上部体４８（図１８（ａ）参照）の第２摺動感長穴４８ａ２と第２長穴４８ａ４とに嵌入する。
【０１７８】
この際、上脚部４６（図９（ｂ）参照）の上板４６ａの第１取付案内ボス４６ｄの第１ボス部４６ｄ１は、下脚部４６（図９（ａ）参照）の下板４５ａの第１取付案内ボス４５ｄの半貫通孔４５ｄ１に嵌入される。また、上脚部４６の上板４６ａの第２取付案内ボス４６ｅの第１ボス部４６ｅ１は、下脚部４６の下板４５ａの第２取付案内ボス４５ｅの半貫通孔４５ｅ１に嵌入される。また、上脚部４６の上板４６ａの第３取付案内ボス４６ｆの第１ボス部４６ｆ１は、下脚部４６の下板４５ａの第３取付案内ボス４５ｆの半貫通孔４５ｆ１に嵌入される。
【０１７９】
その後、左右の下脚部４５（図９（ａ）参照）の係合孔４５ｋ１、４５ｋ２、４５ｋ３、４５ｋ４、４５ｋ５、４５ｋ６、４５ｋ７に、それぞれ左右の上脚部４６（図９（ｂ）参照）の４つの爪部（図示せず）と爪部４６ｔ５、４６ｔ６、４６ｔ７をそれぞれ弾性変形させて係合させ、左右の下脚部４５にそれぞれ左右の上脚部４６を組み付ける。
【０１８０】
そして、ねじ（図示せず）が左右の下脚部４５（図９（ａ）参照）の下方（図８（ａ）の下側）から下板４５ａの貫通孔４５ｄ２を挿通して、それぞれ左右の上脚部４６（図９（ｂ）参照）の上板４６ａの第１取付案内ボス４６ｄの雌ねじ４６ｄ３に螺着される。また、ねじ（図示せず）が左右の下脚部４５（図９（ａ）参照）の下方（図８（ａ）の下側）から下板４５ａの貫通孔４５ｅ２を挿通して、それぞれ左右の上脚部４６（図９（ｂ）参照）の上板４６ａの第２取付案内ボス４６ｅの雌ねじ４６ｅ３に螺着される。また、ねじ（図示せず）が左右の下脚部４５（図９（ａ）参照）の下方（図８（ａ）の下側）から下板４５ａの貫通孔４５ｆ２を挿通して、それぞれ左右の上脚部４６（図９（ｂ）参照）の上板４６ａの第３取付案内ボス４６ｆの雌ねじ４６ｆ３に螺着される。
これにより、図８（ａ）に示す乾燥ユニット４３が組立てられる。
【０１８１】
＜乾燥ユニット４３の使用＞
次に、乾燥ユニット４３を用いての布団を乾燥するに際しての使用について説明する。
上述の構成により、左右の調整脚部４３Ｂ（図１１（ｃ）参照）の上面板４３Ｂ２の長穴４３ｂ１内には、それぞれ左右の脚部４３Ａの上脚部４６（図９（ｂ）参照）の第１取付案内ボス４６ｄの第２ボス部４６ｄ２（図９（ｂ）参照）が嵌入されるとともに、左右の調整脚部４３Ｂ（図１１（ｃ）参照の下面板４３Ｂ４の長穴４３ｂ１０内には、それぞれ左右の脚部４３Ａの下脚部４５（図９（ａ）参照）の第１取付案内ボス４５ｄが嵌入される。これにより、左右の調整脚部４３Ｂが、それぞれ左右の脚部４３Ａ内を摺動し、左右の調整脚部４３Ｂが、それぞれ左右の脚部４３Ａから延出したり、左右の脚部４３Ａ内に収縮する。
【０１８２】
また、本体上部体４８（図１４（ａ）参照）の左右の第１摺動感長穴４８ａ１内に向かって左側の脚部４３Ａの上脚部４６（図９（ｂ）参照）の第２ボス部４６ｅ２が嵌入されるとともに、本体上部体４８の第１長穴４８ａ３内に向かって左側の脚部４３Ａの上脚部４６の第２ボス部４６ｆ２が嵌入される。同時に、本体上部体４８（図１４（ａ）参照）の第２摺動感長穴４８ａ２内に向かって右側の脚部４３Ａの上脚部４６（図９（ｂ）参照）の第２ボス部４６ｅ２が嵌入されるとともに、本体上部体４８の第２長穴４８ａ４内に向かって右側の脚部４３Ａの上脚部４６（図９（ｂ）参照）の第２ボス部４６ｆ２が嵌入される。
【０１８３】
また、本体下部体４７（図１２（ａ）参照）の第１長穴４７ａ１内に向かって左側の脚  部４３Ａの下脚部４５（図９（ａ）参照）の第２取付案内ボス４５ｅが嵌入されるとともに、本体下部体４７の第１摺動感長穴４７ａ３内に向かって左側の脚部４３Ａの下脚部４５の第３取付案内ボス４５ｆが嵌入される。同時に、本体下部体４７の第２長穴４７ａ２内に向かって右側の脚部４３Ａの下脚部４５の第２長穴４７ａ２内に向かって右側の脚部４３Ａの下脚部４５（図９（ａ）参照）の第２取付案内ボス４５ｅが嵌入されるとともに、本体下部体４７の第２摺動感長穴４７ａ４内に向かって右側の脚部４３Ａの下脚部４５の第３取付案内ボス４５ｆが嵌入される。
上述の状態で、左右の脚部４３Ａが、それぞれ左右の本体部４３Ｈに対して摺動し、左右の脚部４３Ａが、それぞれ左右の本体部４３Ｈから幅方向に延出したり、本体部４３Ｈ内に、幅方向に収縮したりする。
【０１８４】
＜小さい布団の乾燥＞
小さい布団を乾燥する場合には、乾燥ユニット４３は、図８（ａ）に示すように、左右の調整脚部４３Ｂをそれぞれ左右の脚部４３Ａ内に収容して使用される。
この際、調整脚部４３Ｂが脚部４３Ａ内に収縮されて、脚部４３Ａの上脚部４６（図９（ｂ）参照）の第１取付案内ボス４６ｄが調整脚部４３Ｂの長穴４３ｂ１（図１１（ｂ）参照）の短縮ストップ凸部４３ｋ１に係合して、使用者はクリック感をもって、調整脚部４３Ｂが脚部４３Ａ内に収容されたことを感得することができる。
また、小さい布団を乾燥する場合、図８（ａ）に示すように、左右の脚部４３Ａが本体部４３Ｈ内に収容して使用される。
【０１８５】
この際、向かって左側の脚部４３Ａの上脚部４６（図９（ｂ）参照）の第２ボス部４６ｅ２に、本体上部体４８（図１４（ａ）参照）の第１摺動感長穴４８ａ１の短縮ストップ凸部４８ｔ２が係合するとともに、向かって左側の脚部４３Ａの下脚部４５（図９（ａ）参照）の第３取付案内ボス４５ｆに、本体下部体４７（図１２（ａ）参照）の第１摺動感長穴４７ａ３の短縮ストップ凸部４７ｔ２が係合して、向かって左側の脚部４３Ａが本体部４３Ｈ内に収容されたことを、使用者がクリック感をもって感得できる。
【０１８６】
一方、向かって右側の脚部４３Ａの上脚部４６（図９（ｂ）参照）の第２ボス部４６ｅ２に、本体上部体４８（図１４（ａ）参照）の第２摺動感長穴４８ａ２の短縮ストップ凸部４８ｔ４が係合するとともに、向かって右側の脚部４３Ａの下脚部４５（図９（ａ）参照）の第３取付案内ボス４５ｆに、本体下部体４７（図１２（ａ）参照）の第２摺動感長穴４７ａ４の短縮ストップ凸部４７ｔ４が係合して、向かって右側の脚部４３Ａが本体部４３Ｈ内に収容されたことを、使用者がクリック感をもって感得できる。
【０１８７】
＜大きい布団の乾燥＞
大きい布団を乾燥する場合には、乾燥ユニット４３は、図８（ｂ）の矢印α１１に示すように、左右の調整脚部４３Ｂをそれぞれ左右の脚部４３Ａから引き出して使用される。
この際、調整脚部４３Ｂが脚部４３Ａから延出されて、脚部４３Ａの上脚部４６（図９（ｂ）参照）の第１取付案内ボス４６ｄが、調整脚部４３Ｂ（図１１（ｂ）参照）の長穴４３ｂ１の延長ストップ凸部４３ｋ２に係合して、使用者はクリック感をもって、調整脚部４３Ｂが脚部４３Ａ内から延出されたことを感得することができる。
【０１８８】
また、大きい布団を乾燥する場合、図８（ｂ）の矢印α２１に示すように、左右の脚部４３Ａが本体部４３Ｈ内から引き出して使用される。
この際、向かって左側の脚部４３Ａの上脚部４６（図９（ｂ）参照）の第２ボス部４６ｅ２に、本体上部体４８（図１４（ａ）参照）の第１摺動感長穴４８ａ１の延長ストップ凸部４８ｔ１が係合するとともに、向かって左側の脚部４３Ａの下脚部４５（図９（ａ）参照）の第３取付案内ボス４５ｆに、本体下部体４７（図１２（ａ）参照）の第１摺動感長穴４７ａ３の延長ストップ凸部４７ｔ１が係合して、向かって左側の脚部４３Ａが本体部４３Ｈ内から引き出されたことを、使用者がクリック感をもって感得できる。
【０１８９】
一方、向かって右側の脚部４３Ａの上脚部４６（図９（ｂ）参照）の第２ボス部４６ｅ２に、本体上部体４８（図１４（ａ）参照）の第２摺動感長穴４８ａ２の延長ストップ凸部４８ｔ３が係合するとともに、向かって左側の脚部４３Ａの下脚部４５（図９（ａ）参照）の第３取付案内ボス４５ｆに、本体下部体４７（図１２（ａ）参照）の第２摺動感長穴４７ａの延長ストップ凸部４７ｔ３が係合して、向かって右側の脚部４３Ａが本体部４３Ｈ内から引き出されたことを、使用者がクリック感をもって感得できる。
【０１９０】
なお、当然ながら、左右の調整脚部４３Ｂの何れか一方を脚部４３Ａ内に、前後方向に収容して使用することも可能であり、または、左右の調整脚部４３Ｂの何れか一方を脚部４３Ａから前後方向に引き出して使用することもできる。
また、左右の脚部４３Ａの何れか一方を、本体部４３Ｈから幅方向に引き出して使用することも可能であり、または、左右の脚部４３Ａの何れか一方を、本体部４３Ｈ内に、幅方向に収容して使用することもできる。
【０１９１】
変形例４の構成によれば、布団の大きさに応じて、左右の脚部４３Ａからそれぞれ、調整脚部４３Ｂを前後方向に延ばしたり縮めたりして布団を乾燥できる。
また、布団の大きさに応じて左右の脚部４３Ａをそれぞれ、幅方向に延ばしたり縮めたりして布団を乾燥できる。
そのため、布団の大きさに係らず（布団の大きさに応じて）布団を充分に乾燥させることができる。
【０１９２】
＜変形例５＞
図１６（ａ）は、変形例５の乾燥ユニットの使用中の状態を示す斜視図であり、図１６（ｂ）は、変形例５の乾燥ユニットで芳香剤を入れる前の状態を示す斜視図である。
変形例５は、乾燥ユニット５３の本体部５３Ｈに芳香剤収納部５４Ｓを設けて臭い抑制体（例えば、芳香剤５７）を収納し、布団の防臭、布団の臭いを消す消臭、および香り付け等する機能をもたせたものである。
図１６（ａ）に示すように、変形例５の乾燥ユニット５３は、芳香剤収納部５４Ｓ内に臭い抑制体の芳香剤５７が収納され、布団の乾燥とともに布団の防臭、香り付けが行われる。
【０１９３】
図１６（ｂ）に示すように、乾燥ユニット５３の本体部５３Ｈの芳香剤収納部５４Ｓの収納部蓋５５が開けられ、芳香剤５７の出し入れが行われる。
芳香剤５７は通気性がある芳香剤袋５７ｆに入れられる。臭い抑制体の芳香剤５７は、その機能が失われると新たな芳香剤５７が収納される芳香剤袋５７ｆに交換される。
上述したように、芳香剤５７は、布団の臭いを防ぐ防臭、布団の香り付け、布団の臭いを消す消臭のうちの少なくとも何れかの機能をもつ臭い抑制手段を構成する臭い抑制体の一例である。
芳香剤５７は、例えば、デオドラント（ヒノキチオール、香り付け成分等をカルシウムのつぶに染み込ませたもの）等が使用される。ヒノキチオールは布団に含まれる臭い成分と結合して臭いを消したり、防臭する。香り付け成分は布団に香り付けする。
なお、臭い抑制体は芳香剤５７以外のものを用いてもよいのは勿論である。例えば、臭い抑制体として、公知の消臭剤、防臭剤、香料等が適宜選択して用いられる。
【０１９４】
図１７は乾燥ユニットの本体部の上部を構成する本体上部体を後上方から見た斜視図である。図１８（ａ）は本体上部体を上から見た上面図であり、図１８（ｂ）は図１８（ａ）のＣ−Ｃ断面図である。
乾燥ユニット５３の本体部５３Ｈに形成される芳香剤収納部５４Ｓは、芳香剤収納箱体５４と芳香剤収納蓋５５（図１６（ａ）参照）と芳香剤ベース５６（図２０（ａ）参照）とを有している。
【０１９５】
図１７、図１８（ａ）、（ｂ）に示すように、本体上部体４８の上面板４８ａに、芳香剤収納箱体５４が形成されている。
芳香剤収納箱体５４は上方が空いた直方体形状を有している。芳香剤収納箱体５４の底板５４ａと４側面を形成する側板５４ｂには、香り漏出孔５４ｈが多数穿孔されている。
図１９（ａ）は、収納部蓋を斜め前下方から見た斜視図であり、図１９（ｂ）は、収納部蓋を下方から見た下面図であり、図１９（ｃ）は、図１９（ｂ）のＤ−Ｄ断面図であり、図１９（ｄ）は、図１９（ｂ）のＥ方向矢視図である。
【０１９６】
芳香剤収納部蓋５５は、平板状の形状を有している。
芳香剤収納部蓋５５の上面側には、使用者が把持する取っ手５５ａが上方に突出して形成されている。
芳香剤収納部蓋５５の下面側には、芳香剤収納部蓋５５を閉塞状態に保持する凹形状の閉塞ロック凹部５５ｂ１と芳香剤収納部蓋５５を開けた状態に保持する凹形状の開放ロック凹部５５ｂ２とが形成されている。
【０１９７】
芳香剤収納部蓋５５は、両側部が本体上部体４８の上面板４８ａの下方の案内溝（図示せず）に嵌入されて、芳香剤収納箱体５４を開閉するように、前後方向にスライド自在に取り付けられる（図１６（ａ）、（ｂ）参照）。
図２０（ａ）は、芳香剤ベースを斜め前上方から見た斜視図であり、図２０（ｂ）は、芳香剤ベースを上方から見た上面図であり、図２０（ｃ）は、図２０（ｂ）のＦ−Ｆ断面図である。
【０１９８】
芳香剤ベース５６は、略平板状の形状を有している。
芳香剤ベース５６は、４つの角部に芳香剤ベース５６を本体上部体４８の上面板４８ａにねじ止めするための段付きボス５６ｂが形成されている。段付きボス５６ｂの中央には、ねじが挿通する挿通孔５６ａが貫設されている。
【０１９９】
芳香剤ベース５６の上面側には、芳香剤収納部蓋５５を閉塞状態と開放状態とにロックするためのロックアーム５６ｒが、前方側がフリーで後方側が固定支持される片持ち支持の形状に形成される。ロックアーム５６ｒの先端には、芳香剤収納部蓋５５が閉塞された際に閉塞ロック凹部５５ｂ１に係合するとともに、芳香剤収納部蓋５５が開けられた際に開放ロック凹部５５ｂ２に係合する凸形状のロック凸部５６ｒ１が上方に向けて突設されている。
【０２００】
芳香剤ベース５６は、本体部５３Ｈの上面板４８ａにスライド自在に取り付けられた芳香剤収納部蓋５５の下方の位置に、ロックアーム５６ｒのロック凸部５６ｒ１が上方に向けて突出した姿勢で配置される。具体的には、段付きボス５６ｂの挿通孔５６ａをねじが挿通して、本体部５３Ｈの上面板４８ａに下方から上方に向けて螺刻された雌ねじに螺着されて、ロックアーム５６ｒのロック凸部５６ｒ１が下方に向けた姿勢で固定される。この芳香剤ベース５６の位置は、芳香剤収納部蓋５５が開けられた際に芳香剤収納部蓋５５の開放ロック凹部５５ｂ２に、芳香剤ベース５６のロック凸部５６ｒ１が係合し、芳香剤収納部蓋５５が閉塞された際に閉塞ロック凹部５５ｂ１に、芳香剤ベース５６のロック凸部５６ｒ１が係合する位置に設定される。
【０２０１】
上記構成により、使用者が、布団を乾燥するに際して、図１６（ｂ）に示すように、芳香剤収納部蓋５５の取っ手５５ａを把持して芳香剤収納部蓋５５を開ける。この際、芳香剤ベース５６のロックアーム５６ｒは弾性変形してロック凸部５６ｒ１が芳香剤収納部蓋５５の下面の開放ロック凹部５５ｂ２（図１９（ａ）参照）に嵌合する。これにより、芳香剤収納部蓋５５は開放状態に保持される。一方、使用者が、芳香剤５７が収納される芳香剤袋５７ｆを芳香剤収納箱体５４に入れて、図１６（ａ）に示すように、芳香剤収納部蓋５５の取っ手５５ａを把持して閉めると、芳香剤ベース５６のロックアーム５６ｒは弾性変形してロック凸部５６ｒ１が芳香剤収納部蓋５５の下面の閉塞ロック凹部５５ｂ１（図１９（ａ）参照）に嵌入する。これにより、芳香剤収納部蓋５５は閉塞状態に保持される。
【０２０２】
こうして、乾燥ユニット５３を図１６（ａ）に示す運転状態にすると、乾燥ユニット５３から吐き出される温風にヒノキチオール等、香料の成分が含まれ、布団が乾燥するとともに、防臭され、香り付けされる。そのため、いやな臭いがない香りがよい布団に仕上げることができる。
また、芳香剤収納部５４Ｓは乾燥ユニット５３の本体部５３Ｈの上面の中央に配置されるので、使用者の芳香剤５７が入った芳香剤袋５７ｆの出し入れが容易である。
【０２０３】
＜＜実施形態２＞＞
図２１は、実施形態２の畳の上のふとんの乾燥を行っている布団乾燥機を示す図である。図２２は、実施形態２のベッド上のふとんの乾燥を行っている布団乾燥機を示す図である。
【０２０４】
実施形態２の布団乾燥機２Ｆは、ふとんなどの乾燥に使用する箱形状の乾燥ユニット１３(図５参照)を、乾燥機本体２１内に容易に収納ができる構成である。
更に、布団乾燥機２Ｆは乾燥ユニット１３の未使用時の保管性や持ち運びがし易いことに特徴がある。
【０２０５】
布団乾燥機２Ｆは、乾燥機本体２１とホース２と変形例１の乾燥ユニット１３(図５参照)とを備えている。
乾燥ユニット１３は、前記した如く、布団(８、９)の乾燥に用いる乾燥器具である箱形状のアタッチメントである。
【０２０６】
乾燥機本体２１は、略キューブ型の形状、つまり六面体または直方体の形状を有している。
乾燥機本体２１は、送風を発生させるファン(図示せず)と、ファンを駆動するモータＭ(図２４参照)と、ファンからの送風を温風とする第１・第２のヒータ(図示せず)とを有している。そして、乾燥機本体２１は、ファン、モータＭ、第１・第２のヒータを制御する制御部を有している。
【０２０７】
制御部は、制御プログラムが実行されるマイクロコンピュータと、モータ駆動制御回路、ヒータ制御回路、センサ回路等の周辺回路を有している。
乾燥ユニット１３は、乾燥機本体２１内に収納されるので、乾燥機本体２１内の部品と干渉することがないように二股形状を有している。
【０２０８】
乾燥ユニット１３の二股形状の反対側中央には、ホース２からの空気流を乾燥ユニット１３に供給する際の継ぎ手であるホース接続部口２ａ(図５、図２５参照)が取り付けられている。ホース接続部口２ａはホース２の円形の開口を乾燥ユニット１３の矩形状の開口に連結する接続アタッチメントの役割を担っている。ホース接続部口２ａは、例えば合成樹脂で成形されている。
【０２０９】
図２１に示すように、布団乾燥機２Ｆで畳上の布団(８、９)を乾燥する場合、乾燥機本体２１を横置きにして、乾燥機本体２１の下側角部から延出される電源コードＣのプラグｃｐを電源コンセント(図示せず)に差し込む。そして、操作部２１ｓの操作スイッチ２１ｂを押下することで所望の乾燥運転モードが開始され(詳細は後記)、乾燥ユニット１３の温風吹出し口(１３ａ、１３ａ１、１３ｂ、１３ｄｕ、１３ｄｓ)から温風Ｏ(図５参照)が吹き出される。
【０２１０】
或いは、図２２に示すように、布団乾燥機２Ｆで、洋室のベッドＢの上の布団(８、９)を乾燥する場合、乾燥機本体２１を縦置きにして、乾燥機本体２１の下側角部から後方に延出される電源コードＣのプラグｃｐを電源コンセント(図示せず)に差し込む。そして、操作部２１ｓの操作スイッチ２１ｂを押下することで所望の乾燥運転モードが開始され、乾燥ユニット１３の温風吹出し口(１３ａ、１３ａ１、１３ｂ、１３ｄｕ、１３ｄｓ)から温風Ｏが吹き出される。
【０２１１】
＜乾燥機本体２１＞
図２３は、乾燥機本体内に乾燥ユニットとホースとを収納した乾燥機本体の外観斜視図である。
乾燥機本体２１は、布団乾燥機２Ｆの使用中、容易に転倒することがないように安定性が得られる略キューブ型(六面体、直方体)の形状を有している。これにより、乾燥機本体２１は、横置き縦置きの使用(図２１、図２２参照)が可能な構成としている。
【０２１２】
そのため、布団乾燥機２Ｆの未使用時にも、乾燥機本体２１の内部にホース２と乾燥ユニット１３とを収容して、乾燥機本体２１を縦置きや横置き状態にしてしまうことができる。
【０２１３】
＜乾燥機本体２１の外装＞
乾燥機本体２１の手前上部には、操作部２１ｓ(図２３参照)が配置されている。操作部２１ｓは表示装置２１ｈと複数の操作スイッチ２１ｂ(２１ｂ１、２１ｂ２、……)とを有している。
乾燥機本体２１の操作部２１ｓ後方には、乾燥機本体２１を持ち運びする際に把持されるハンドル２４と、乾燥機本体２１の内部を開閉する開閉蓋２５とが備わっている。
【０２１４】
開閉蓋２５は、乾燥機本体２１の筺体２１ｋの後上部に設けられる回転支持部２５ｓ(図２４参照)に回転自在に支持されている。
乾燥機本体２１の前面側には、室内の空気を吸い込む吸込み口(図示せず)が設けられている。吸込み口の手前には、室内の空気中に含まれる粉塵などを取り除くフィルタｆ(図３１参照)が設けられている。
乾燥機本体２１の前面側のフィルタｆを覆って、化粧パネル２６が取り付け、取り外し自在に取り付けられている。
【０２１５】
＜乾燥機本体２１の内部＞
図２４は、布団乾燥機を使用時の乾燥機本体の開閉蓋を開けた状態を上方から見た図である。
乾燥機本体２１には、略中央前側に、ファン収納部２１ａとモータ収納部２１ｍとが設けられている。
【０２１６】
ファン収納部２１ａには、布団(８、９)に送り込む空気流を発生させるファン(図示せず)が収容されている。ファンにより引き起こされる空気流は、乾燥機本体２１の前面側からフィルタｆ(図３１参照)を通過して吸込まれる。モータ収納部２１ｍには、ファンを回転駆動させるモータＭが収容されている。
【０２１７】
そのため、ファン収納部２１ａとモータ収納部２１ｍとは、乾燥機本体２１の筺体２１ｋから内部に突出した凸形状に形成されている。
ホース２にはファンから空気流が供給されるため、ホース２の一方端部２ｔ１は、ファンが収容されるファン収納部２１ａの連結口２１ｃに接続されている。
【０２１８】
図２５は、乾燥機本体の内部に乾燥ユニットとホースとを収納した状態を上方から見た図である。
布団乾燥機２Ｆの未使用時には、使用者により、乾燥機本体２１の連結口２１ｃに一方端部２ｔ１が連結されるホース２の他方端２ｔ２が、乾燥ユニット１３に取り付けられるホース接続部口２ａから外される。なお、乾燥機本体２１の連結口２１ｃは、内蔵されるファンの空気吐き出し口である。
【０２１９】
ホース２は、乾燥機本体２１内に屈曲されてファン収納部２１ａ(図２４参照)上に収納される。一方、乾燥ユニット１３は、中央に通気スペース１３Ｐが形成される一対の脚部１３Ａ(図５参照)側が下方になる姿勢で乾燥機本体２１内に入れられる。詳細には、乾燥ユニット１３の通気スペース１３Ｐの空間にモータ収納部２１ｍ(図２４参照)が入り一対の脚部１３Ａがモータ収納部２１ｍを跨ぐようにして、乾燥ユニット１３が乾燥機本体２１内に収納される。
【０２２０】
これにより、布団乾燥機２Ｆの未使用時に、乾燥ユニット１３とホース２とを、乾燥機本体２１内にコンパクトな大きさで収納することができる。
そして、開閉蓋２５が閉じられ、乾燥機本体２１内に乾燥ユニット１３が納まった布団乾燥機２Ｆ(図２３参照)となる。
【０２２１】
図２６は、図２３のＡ方向矢視図である。
乾燥機本体２１のホース２が接続される側の側面板２１ｋ１と乾燥機本体２１の下面板２１ｋ２とで形成される角部２１ｋ８には、電源コードｃが延出される凹部２１ｋ９が凹設されている。電源コードＣは、乾燥機本体２１の角部２１ｋ８に形成される凹部２１ｋ９のほぼ中央部から後方側に向けて設けられている。
【０２２２】
これにより、図２１に示すように、畳上の布団(８、９)を乾燥する場合には、横置き姿勢の乾燥機本体２１の下側の角部２１ｋ８から後方の電源コンセント(図示せず)に短い距離で(ほぼ一直線状に)電源コードＣを接続できる。加えて、ホース２も乾燥対象の布団(８、９)にほぼ一直線上に短い距離で導くことができる。
【０２２３】
或いは、図２２に示すように、ベッドＢ上の布団(８、９)を乾燥する場合には、縦置きの姿勢の乾燥機本体２１の下側の角部２１ｋ８から後方の電源コンセント(図示せず)に短い距離で(ほぼ一直線状に)電源コードＣを接続できる。加えて、ホース２も縦置きの姿勢の乾燥機本体２１から上方にベッドＢの高さまで導いて、乾燥対象の布団(８、９)に、ホース２に無理な変形を与えることなく短い距離で導くことができる。
【０２２４】
また、乾燥機本体２１の筺体２１ｋの後壁板２１ｋ３には、係合孔２１ｏが形成されている。係合孔２１ｏには、布団乾燥機２Ｆの未使用時に、幾重かに折り畳んでまとめられる電源コードＣを束ねたコードホルダｃｈ(図２７参照)が係合される。
【０２２５】
係合孔２１ｏは、円形の嵌入部２１ｏ１と、嵌入部２１ｏ１に連続して形成され嵌入部２１ｏ１の径より小さい幅寸法を有する嵌合部２１ｏ２とを有している。
嵌合部２１ｏ２は、円形の嵌入部２１ｏ１から下方に向けて延在して、途中から斜め下方に向けて延在して形成される長形状を有している。
【０２２６】
布団乾燥機２Ｆは、電源コードＣをまとめるための樹脂製の屈曲自在なコードホルダｃｈ(図２７参照)を有している。図２７は、図２３のＢ方向矢視図である。
コードホルダｃｈは、複数の球部ｃｈ１と、各球部ｃｈ１をつなぐ紐部ｃｈ２と、電源コードＣを保持したコードホルダｃｈをまとめる係合部ｃｈ３とを有している。
【０２２７】
折り畳んでまとめられる電源コードＣを縛ったコードホルダｃｈは、一方側の紐部ｃｈ２および球部ｃｈ１が係合部ｃｈ３に係合されてまとめられる。そして、他方側の球部ｃｈ１が、係合孔２１ｏの円形の嵌入部２１ｏ１に嵌入され、係合孔２１ｏの嵌合部２１ｏ２に嵌合され、筺体２１ｋの後壁板２１ｋ３に、電源コードＣを縛ったコードホルダｃｈが吊り下げられる。
【０２２８】
＜ハンドル２４＞
図２３に示すように、ハンドル２４は、布団乾燥機２Ｆの未使用時には、乾燥機本体２１の筺体２１ｋ内に収容される。
図２８は、ハンドルを乾燥機本体から引き出した状態を示す斜視図である。
【０２２９】
布団乾燥機２Ｆを使用する際には、図２８に示すように、乾燥機本体２１から持ち手部２４ａを把持してハンドル２４を引き出し、布団(８、９)の乾燥を行う場所まで運んで、布団(８、９)の乾燥作業が行われる。
図２９は、ハンドルを乾燥機本体内に収容した状態の乾燥機本体の上部を前面側から見た断面図である。
図３０(ａ)は、ハンドルを乾燥機本体内から引き出した状態の乾燥機本体の上右部を前面側から見た断面図であり、図３０(ｂ)は、ハンドルを乾燥機本体内から引き出した状態の乾燥機本体の上右部を前面斜め下側から見た斜視図である。
【０２３０】
図２９に示すように、ハンドル２４は、略コの字状の形状を有する樹脂成形品である。ハンドル２４は、左右方向に延びる持ち手部２４ａと、持ち手部２４ａの左端部から下方に延びるスライド部２４ｂと、持ち手部２４ａの右端部から下方に延びるスライド部２４ｃとを有している。
【０２３１】
スライド部２４ｂは、上下移動のガイドである長穴２４ｂ１が形成され、スライド部２４ｂの下側部には、外側方に突設される係合突起２４ｂ２が、略半円柱状など曲率をもつ横断面形状を有する柱状に形成されている。同様に、スライド部２４ｃは、上下移動のガイドである長穴２４ｃ１が形成され、スライド部２４ｃの下側部には、外側方に突設される係合突起２４ｃ２が、略半円柱状など曲率をもつ横断面形状を有する柱状に形成されている。
【０２３２】
一方、乾燥機本体２１には、スライド部２４ｂの長穴２４ｂ１に嵌入される円筒状の第１上案内リブ２１ｉ１と、スライド部２４ｃの長穴２４ｃ１に嵌入される円筒状の第２上案内リブ２１ｉ２とが、それぞれ前後方向に立設されている。
【０２３３】
また、乾燥機本体２１には、ハンドル２４の乾燥機本体２１内への収容状態の位置と、ハンドル２４の乾燥機本体２１内からの引き出し状態の位置とに対応して、スライド部２４ｃの外側面に向けて、下被係合突起２１ｔ１、上被係合突起２１ｔ２が、それぞれ略半円柱状など曲率をもつ横断面形状を有する柱状に突設されている。
【０２３４】
この構成により、図２９に示すように、ハンドル２４の乾燥機本体２１内への収容時には、ハンドル２４のスライド部２４ｂ、２４ｃの各長穴２４ｂ１、２４ｃ１の上部に乾燥機本体２１の円筒状の案内リブ２１ｉ１、２１ｉ２が当接する。同時に、ハンドル２４のスライド部２４ｃの係合突起２４ｃ２が乾燥機本体２１の下被係合突起２１ｔ１の下部に係合して、ハンドル２４が乾燥機本体２１内へ収容される状態が維持される。
【０２３５】
一方、図３０に示すように、ハンドル２４の乾燥機本体２１内からの引き出し時には、ハンドル２４のスライド部２４ｂ、２４ｃの各長穴２４ｂ１、２４ｃ１の下部に乾燥機本体２１の円筒状の案内リブ２１ｉ１、２１ｉ２がそれぞれ当接する。同時に、ハンドル２４のスライド部２４ｃの係合突起２４ｃ２が乾燥機本体２１の上被係合突起２１ｔ２の上部に係合して、ハンドル２４の乾燥機本体２１内からの引き出し状態が維持される。
なお、ハンドル２４は左右対称に形成されるため、ハンドル２４を乾燥機本体２１に組み付ける際には、左右方向を意識する必要がなく、組み立て性がよい。
【０２３６】
＜化粧パネル２６＞
図３１は、化粧パネルを取り外した乾燥機本体を斜め上前方から見た斜視図である。
乾燥機本体２１には、化粧パネル２６を取り付けるための下取り付け部２７と、上取り付け部２８とが設けられている。
下取り付け部２７と、上取り付け部２８とは、左右対称な形状に一対設けられるので、一方側の下取り付け部２７と上取り付け部２８との説明を行い、他方側の説明は省略する。
【０２３７】
乾燥機本体２１の下取り付け部２７は、嵌入孔２７ａが中央に貫設されている。そして、嵌入孔２７ａが形成される内側の壁板には、被係合孔２７ｂが内方に向けて貫設されている。また、嵌入孔２７ａの廻りには、前方に突出して形成される案内リブ２７ｃが、上方側が切り欠かれた形状に嵌入孔２７ａを囲繞する形状に形成されている。
【０２３８】
乾燥機本体２１の上取り付け部２８は、嵌入孔２８ａが中央に貫設されている。そして、嵌入孔２８ａが形成される内側の壁板には、被係合孔２８ｂが内方に向けて貫設されている。また、嵌入孔２８ａの廻りには、前方に突出して形成される案内リブ２８ｃが、下方側が切り欠かれた形状に嵌入孔２８ａを囲繞する形状に形成されている。
【０２３９】
乾燥機本体２１の中央上部には、化粧パネル案内リブ２１ｒが、上部が切り欠かれた下壁２１ｒ１および側壁２１ｒ２を有する略Ｕ字形状に前方に突出して形成されている。
図３２は、乾燥機本体から取り外した化粧パネルの内部側を斜め上方から見た斜視図である。
【０２４０】
化粧パネル２６は、合成樹脂を用いて、射出成形により下記の構成に一体に成形される。
化粧パネル２６の裏面側には、円筒状のパネル取り付け案内リブ２６ｒと、下爪部２９および上爪部３０が形成されている。下爪部２９および上爪部３０は、化粧パネル２６を乾燥機本体２１に取り付けるためのものである。
【０２４１】
パネル取り付け案内リブ２６ｒは、化粧パネル２６を乾燥機本体２１に取り付ける際に位置決めとなるものであり、化粧パネル２６の裏面側上部に後方(図２３の後側)に突出する円筒形状を有して形成されている。
【０２４２】
化粧パネル２６の下爪部２９と上爪部３０とは、左右対称な形状に一対設けられるので、一方側の下爪部２９と上爪部３０との説明を行い、他方側の説明は省略する。
化粧パネル２６の下爪部２９は、後方に突出する形状の略コ字状の断面を有する嵌入爪２９ａが形成されている。嵌入爪２９ａには、弾性変形する平板状の変形アーム２９ｂが片持ち状に形成されている。そして、変形アーム２９ｂの自由端側であって中央側の面には、嵌入突起２９ｂ１が曲率を有する形状に中央側に突出して形成されている。
【０２４３】
化粧パネル２６の上爪部３０は、後方に突出する形状の略コ字状の断面を有する嵌入爪３０ａが形成されている。嵌入爪３０ａには、弾性変形する平板状の変形アーム３０ｂが片持ち状に形成されている。そして、変形アーム３０ｂの自由端側であって中央側の面には、嵌入突起３０ｂ１が曲率を有する形状に中央側に突出して形成されている。
さらに、嵌入爪３０ａの先端部には、取り外し用操作部３０ａ１が、平板形状を有して乾燥機本体２１の内部側に突出する形状に形成されている。
【０２４４】
＜化粧パネル２６の取り付け＞
化粧パネル２６を、乾燥機本体２１に取り付ける場合には、化粧パネル２６の裏面側を、乾燥機本体２１の前面側に対向させる。そして、化粧パネル２６の裏面側下部の左右の下爪部２９の嵌入爪２９ａを、乾燥機本体２１の前面側の左右の下取り付け部２７(図３１参照)の嵌入孔２７ａに嵌入して押し入れる。
【０２４５】
すると、化粧パネル２６の裏面側下部の左右の嵌入爪２９ａの変形アーム２９ｂの嵌入突起２９ｂ１が、それぞれ乾燥機本体２１の左右の嵌入孔２７ａの壁面に当接して、左右の変形アーム２９ｂが弾性変形して左右の嵌入突起２９ｂ１が左右の被係合孔２７ｂにそれぞれ嵌入して係合する(図３３参照)。なお、図３３は、化粧パネルの下部が、乾燥機本体に係合した状態を示す要部一部切り欠き斜視図である。
【０２４６】
そして、化粧パネル２６の裏面側上部の円筒状のパネル取り付け案内リブ２６ｒを、乾燥機本体２１の化粧パネル案内リブ２１ｒに嵌入して、化粧パネル２６を乾燥機本体２１に対して位置決めする。
【０２４７】
続いて、化粧パネル２６の裏面側上部の左右の嵌入爪３０ａ(図３２参照)のを、それぞれ乾燥機本体２１の前面側の左右の上取り付け部２８の嵌入孔２８ａに嵌入して押し入れる。すると、化粧パネル２６の裏面側下部の左右の嵌入爪３０ａの変形アーム３０ｂの嵌入突起３０ｂ１が、それぞれ乾燥機本体２１の左右の嵌入孔２８ａの壁面に当接して、左右の変形アーム３０ｂが弾性変形することにより、変形アーム３０ｂの嵌入突起３０ｂ１が、乾燥機本体２１の左右の嵌入孔２８ａの被係合孔２８ｂに嵌入して係合する(図３４参照)。なお、図３４は、化粧パネルの上部が、乾燥機本体に係合した状態を示す要部一部切り欠き斜視図である。
【０２４８】
このように、化粧パネル２６は、下部の一対の変形アーム２９ｂと上部の一対の変形アーム３０ｂの弾性変形を用いて、乾燥機本体２１の前面側に取り付けられる。
一方、フィルタｆ(図３１参照)の掃除や交換時に、化粧パネル２６を乾燥機本体２１から取り外す際には、図２４に示すように、開閉蓋２５を開ける。
【０２４９】
そして、使用者が乾燥機本体２１内に手を入れ、化粧パネル２６の裏面側上部の左右の嵌入爪３０ａの取り外し用操作部３０ａ１を左右の外方に押圧することで(図３４の矢印α１参照)、変形アーム３０ｂを外側に変形させる。これにより、左右の変形アーム３０ｂの嵌入突起３０ｂ１を、乾燥機本体２１の左右の嵌入孔２８ａの被係合孔２８ｂ内から外し、手前に化粧パネル２６を引き出す。これにより、化粧パネル２６の下部の左右の変形アーム２９ｂが弾性変形して左右の嵌入突起２９ｂ１(図３３参照)が左右の被係合孔２７ｂから外れ、化粧パネル２６が乾燥機本体２１から取り外される。
【０２５０】
このような乾燥機本体２１への取り付け機構をもつ化粧パネル２６は、樹脂により一体に射出成形により形成される。そのため、化粧パネル２６の製造は極めて簡易に行える。
また、化粧パネル２６の乾燥機本体２１への取り付けおよび取り外し作業は、使用者が極めて容易に遂行することができる。
【０２５１】
さらに、化粧パネル２６の取り付け構成を、その裏面側での取り付け、取り外し構成とすることにより、化粧パネル２６と乾燥機本体２１との隙間を可及的に狭くすることができる。例えば、化粧パネル２６と乾燥機本体２１との隙間寸法を、１０ｍｍ以下例えば６ｍｍ程度とすることができる。或いは、さらにこの隙間寸法を狭めることが可能である。
【０２５２】
＜乾燥機本体２１の操作部２１ｓ＞
図２３に示すように、乾燥機本体２１の手前上部には、操作部２１ｓが配置されている。操作部２１ｓは、表示装置２１ｈと複数の操作スイッチ２１ｂ(２１ｂ１、２１ｂ２、……)とを有している。
【０２５３】
操作スイッチ２１ｂには、順方向に発光する半導体素子であるＬＥＤ(Light Emitting Diode)が設けられている。ＬＥＤは、操作スイッチ２１ｂが押下され、スイッチ入の際に点灯する。
図３５は、操作部のレイアウトを示す図である。
【０２５４】
複数の操作スイッチ２１ｂ１〜２１ｂ７は、布団乾燥機２Ｆが有する各乾燥運転モードの種類毎に設けられるスイッチである。右端の操作スイッチ２１ｂ８は、運転開始／停止を行う際に押下される運転入／切スイッチである。
【０２５５】
操作スイッチ２１ｂ１〜２１ｂ７は、それぞれ「ふとん乾燥  夏」、「ふとん乾燥  冬」、「ふとん乾燥  暖め」、「乾燥(くつ・衣類)  温風」、「乾燥(くつ・衣類)  送風」、「節電」、「ダニ対策」の乾燥運転モードに対応する。
各乾燥運転モードは、複数の時間設定を含む変更モードを有している。
【０２５６】
表１は、各乾燥運転モードの温風運転の時間を表わした表である。
【表１】
2016064126.tif 000003
【０２５７】
「ふとん乾燥  夏」、「ふとん乾燥  冬」は、温風運転がａ分、ｂ分、ｃ分、ｄ分、ｅ分の５つの異なる温風運転時間の５つの変更モードを有している。
「ふとん乾燥  暖め」、「ダニ対策」はそれぞれ３種類の温風運転時間の３つの変更モードを有している。
【０２５８】
「乾燥(くつ・衣類)  温風」は４種類の温風運転時間の４つの変更モードを有している。
「乾燥(くつ・衣類)  送風」はそれぞれ３種類の送風運転時間の３つの変更モードを有している。
【０２５９】
表２は、「ふとん乾燥  夏」の温風運転「ｅ分」の乾燥運転モードの過程を示す表である。
【表２】
2016064126.tif 000004
【０２６０】
ｅ分の温風運転中は、第１のヒータがｐＷ(ワット)、第２のヒータがｑＷで出力され、送風運転では第１のヒータが停止され、第２のヒータがｇＷの出力のみである。
その他の「ふとん乾燥  夏」の温風運転がａ分、ｂ分、ｃ分、ｄ分の変更モードは、表２の温風運転の時間「ｅ分」が「ａ分」、「ｂ分」、「ｃ分」、「ｄ分」に変わるものであり、その他は表２の温風運転の時間「ｅ分」と同様である。
【０２６１】
一方、「ふとん乾燥  冬」は、表２の「ふとん乾燥  夏」の送風運転がなく、温風運転の後に第１のヒータが停止され、第２のヒータがｑＷの出力のみの冷却運転が所定時間行われる。冷却運転とは、ふとんの乾燥運転が終了した後にふとん内部を冷却するため、ヒータ出力を低下させファンを回す運転である。
【０２６２】
「節電」の乾燥運転モードは、「ふとん乾燥  冬」の乾燥運転モードに対して、第１のヒータの出力を低く制御することで、消費電力を数十％低下させて節電するモードである。
「ふとん乾燥  暖め」、「乾燥(くつ・衣類)  温風」、「ダニ対策」の乾燥運転モードは、複数の時間の温風運転後に冷却運転が行われる。「ふとん乾燥  暖め」、「乾燥(くつ・衣類)  温風」、「ダニ対策」の各モードの変更モードは、温風運転の時間が変更されるモードである。
【０２６３】
「乾燥(くつ・衣類)  送風」の乾燥運転モードは、送風運転だけが行われる。「乾燥(くつ・衣類)  送風」の変更モードは、送風運転の時間が変更されるモードである。
使用者は、図２１、図２２に示す状態で乾燥運転を行うに際して以下の操作を行う。
【０２６４】
まず、使用者は、図３５の操作スイッチ２１ｂ１〜２１ｂ７の何れかを押下することで所望の乾燥運転モードの種類を選択する。そして、選択した操作スイッチ２１ｂの押下を繰り返し、所望の乾燥運転モードのうちの変更モードを選択する。なお、操作スイッチ２１ｂ１〜２１ｂ７の何れかを１回押下するだけで、所望の乾燥運転モードのうちの変更モードが選択される場合もある。
【０２６５】
続いて、運転入／切スイッチの操作スイッチ２１ｂ８を押下することで所望の乾燥運転モードの乾燥作業が開始される。ここで、操作スイッチ２１ｂ１〜２１ｂ７を押下する度に、「ピッ」という短いブザー音が鳴らされ、運転入／切スイッチの操作スイッチ２１ｂ８を押下すると、「ピッピー」という長いブザー音が鳴らされる。そのため、制御部には、圧電ブザーなどのブザーが搭載されている。
【０２６６】
ここで、「ふとん乾燥  夏」と「ふとん乾燥  冬」とを同時に長押しすると、例えば３〜５秒押下することで、全てのブザー音を消す機能が制御プログラムにプログラミングされている。なお、上記は一例であり、操作スイッチ２１ｂの何れか２または３つを長押しすると全てまたは一部のブザー音を消す機能としてもよい。
【０２６７】
従って、使用者は、従来のように、乾燥運転モードの種類を選択するのに１つの操作スイッチの押下を繰り返すことで乾燥運転モードを選択することなく、本実施形態２では、所望の乾燥運転モードの操作スイッチ２１ｂ１〜２１ｂ７の何れかを押下することで乾燥運転モードを選択できる。そのため、使用者は、空間的に乾燥運転モードの種類を目視して操作スイッチ２１ｂ１〜２１ｂ７を操作でき、操作が容易である。また、使用者は、空間的に乾燥運転モードの操作スイッチ２１ｂ１〜２１ｂ７を記憶できるので、より操作が容易になる。例えば、使用者は、「ふとん乾燥  夏」の乾燥運転モードを左端の操作スイッチ２１ｂ１と記憶してしまうので、より迅速な操作が行える。
【０２６８】
上述したように、使用者は、乾燥運転モードで、任意に予め設定された時間を選択できる。
表示装置２１ｈは、例えば７セグメントの３桁表示であり、操作スイッチ２１ｂ１〜２１ｂ７の何れかの押下と操作スイッチ２１ｂ８の押下で乾燥運転モードが開始され、表示装置２１ｈに実行中の乾燥運転モードの残りの運転時間が表示される。
【０２６９】
７セグメントでの表示は、主に残りの運転時間を分表示し、１桁から３桁の時間を表示させることができる。また、乾燥運転中は時間の経過が分かるように分単位でカウントダウンさせて残り時間を表示する。
なお、実行中の乾燥運転モードの途中で、運転入／切スイッチの操作スイッチ２１ｂ８を押下した場合、実行中の乾燥運転は停止される。
【０２７０】
＜エラー表示＞
表示装置２１ｈでの表示は、乾燥運転中に支障(異常)が生じた時のエラー表示を行い、使用者へのお知らせを兼ねた表示としている。
表示装置２１ｈには、下記のようなエラーを表示する。
【０２７１】
表示の分類として、エラーコードを  Ｈ ○○  と  Ｃ ○○  に分ける。
布団乾燥機２Ｆの異常現象は、使用者側で復帰できる現象と使用者側では復帰できない現象があるため、エラーコードで識別させるために、先頭１桁の英字、例えば「Ｈ」、「Ｃ」で復帰不可能な現象と復帰可能な現象とを分類する。
【０２７２】
つまり、Ｈ○○は修理/交換対応が必要なエラー内容を表わし、Ｃ○○は使用者側で復帰が可能なエラー内容を表わす。
図３６(ａ)に、表示装置に使用者側では復帰できないエラー内容のエラーコードが表示される場合を示し、図３６(ｂ)に、表示装置に使用者側で復帰できるエラー内容のエラーコードが表示される場合を示す。
【０２７３】
上述したように、図３６(ａ)の「Ｈ０１」(第２の表示)の１桁目「Ｈ」(第１の表示)は使用者側では復帰できないエラー内容であることを示し、「０１」は例えば温度センサのサーミスタが故障したことを示す。制御部には、サーミスタの抵抗を検出するセンサ回路が搭載されている。
「Ｈ０１」は、サーミスタのオープンやショートであることを示し、修理／交換対応となる。
【０２７４】
図３６(ｂ)の「Ｃ０１」(第２の表示)の１桁目「Ｃ」(第１の表示)は使用者側で復帰できるエラー内容であることを示し、「０１」は例えば温度センサのサーミスタが異常温度を検出したことを示す。「Ｃ０１」は、サーミスタの温度センサのサーミスタが異常温度を検出であることを示し、使用者対応であることを示す。
【０２７５】
原因としては、フィルタｆの目詰まりの可能性がある、乾燥機本体２１の置き方が間違っている、乾燥機本体２１に布団(８、９)が被っている可能性がある等々である。
なお、使用者対応のエラーコードに関しては、布団乾燥機２Ｆに予めマニュアルが添付されている。そこで、使用者は、エラーコードをマニュアルでひき、対応内容を確認して迅速に異常に対応して、素早く正常状態に復帰することができる。
【０２７６】
復帰方法としては、一旦電源プラグを抜く。そして、化粧パネル２６を前述したように外し、フィルタｆの掃除や交換を行う、乾燥機本体２１の使い方を正す等々を行った後、しばらくたってから、再度電源プラグｃｐを電源コンセントに差し込む。
表示装置２１ｈで、７セグメントにより、乾燥運転の残り時間をデジタルで表示することで、操作時や運転中の経過時間が一目で分かる。
【０２７７】
また、運転中に障害(異常)が生じた時などには、使用者側で復帰できる現象と使用者側では復帰できない現象とを明示したエラー表示により、消費者への注意喚起を行える。さらに、使用者側で復帰できる現象と使用者側では復帰できない現象とを明示し、かつ、故障内容を示すエラーコードにより、故障判断も可能で、早期の復帰が可能となる。
加えて、用途に合わせた乾燥運転モードを、操作スイッチ２１ｂ毎に分類した構成にすることで、使用者が選び易く、かつ容易に選べ、しかも操作がし易い。
【０２７８】
なお、エラーコードの１桁目は英字以外の数字、文字等でもよく、固有に識別可能であれば、その表示は任意に選択できる。また、エラーコードの２桁目以降も、エラー内容に応じてそれぞれ固有に識別できれば文字、図形でもよく、その表示方法は限定されない。
【０２７９】
実施形態２の構成によれば、下記の効果を奏する。
１．二股形状の乾燥ユニット１３(図５参照)を乾燥機本体２１内のファンのモータＭを跨いで乾燥機本体２１内に収納する構成としたので、乾燥ユニット１３を乾燥機本体２１内にコンパクトに収納できる。また、乾燥ユニット１３を二股形状とすることで、布団(８、９)などの乾燥に使用するアタッチメントとして、より高い性能を発揮できる。
【０２８０】
そのため、よりコンパクトに乾燥ユニット１３、ホース２を乾燥機本体２１内に収納ができる(図２５参照)、かつ、性能が高い乾燥ユニット１３を得られるという２つのメリットを同時に享受することができる。
【０２８１】
２．乾燥ユニット１３は合成樹脂などを用いて箱状に構成されるので、従来のふとん乾燥  機の乾燥マットに比較し、汚れず、簡単に拭け、すっきり始末できる。また、乾燥ユニット１３の移動、設置、除去、取り扱いが簡単である。
【０２８２】
３．乾燥機本体２１の空気の吸込み口を前面側に配置し、フィルタｆを化粧パネル２６で覆い、化粧パネル２６を乾燥機本体２１の前面側に係合して、化粧パネル２６を乾燥機本体２１の内部側から外す構成とした。そのため、化粧パネル２６と乾燥機本体２１の前面側との隙間を可及的に狭くできる。
【０２８３】
また、乾燥機本体２１の空気の吸込み口を前面側に配置したので、部屋の隅のゴミを乾燥機本体２１の裏側から吸い込むことがなく、部屋中央の比較的きれいな空気を吸い込むことができる。また、乾燥機本体２１の裏面側に綿埃が吸い付くこともない。
【０２８４】
以上のことから、大きなゴミを空気とともに吸い込むことが防止され比較的清浄な空気を吸い込むことができる。そのため、フィルタｆの汚れが抑制され、従来よりきれいな空気で布団(８、９)などの乾燥を行える。
【０２８５】
４．化粧パネル２６と乾燥機本体２１の前面側との隙間を狭くできるので、子供や幼児が誤って化粧パネル２６と乾燥機本体２１との隙間に手をかけ、化粧パネル２６を外すことを防ぐことができる。
また、化粧パネル２６と乾燥機本体２１の前面側との隙間は可及的に狭くできることから、所望の隙間に調整できる。
【０２８６】
５．化粧パネル２６および乾燥機本体２１は、化粧パネル２６と乾燥機本体２１との着脱機構を一体に成形できるので、製造コストが低い。
【０２８７】
６．化粧パネル２６は、使用者が乾燥機本体２１の内部の化粧パネル２６内側から簡単に外せ、かつ、簡単に化粧パネル２６を乾燥機本体２１に取り付けできるので、使い勝手が良好である。
【０２８８】
７．乾燥機本体２１の上面部にハンドル２４を設け、乾燥機本体２１内からの引き出し、収納可能とした。そのため、乾燥機本体２１の移動がハンドル２４を持って容易に移動できる。
布団乾燥機２Ｆの未使用時には、ハンドル２４を乾燥機本体２１内に収納できるので、ハンドル２４が邪魔になることがない。
【０２８９】
８．ハンドル２４の引き出し、収納の構成を樹脂成形品で一体に構成できるので、製造コストが低い。
【０２９０】
９．乾燥機本体２１をキューブ型(略六面体形、略直方体形)としたので、乾燥機本体２１を縦置き、横置きして使用できる。
また、布団乾燥機２Ｆの未使用時に、乾燥ユニット１３を収納した乾燥機本体２１を縦置き、横置きすることで容易に任意の場所、空間にしまうことができる。例えば、タンスの上、冷蔵庫の上など空間のある箇所に、乾燥機本体２１がキューブ型であるので、安定して置くことができる。
【０２９１】
１０．乾燥機本体２１の一方側部のホース２連結側の側方下部の角部２１ｋ８に凹部２１ｋ９(図２６参照)を設け、電源コードＣを該凹部２１ｋ９に配置した。そして、電源コードＣを該凹部から乾燥機本体２１の裏面側に引き出す構成である。
そのため、図２１に示すように、布団(８、９)を乾燥する場合には、乾燥機本体２１をホース２連結側の側面を下に横置きの姿勢に配置できる。これにより、ホース２は直線状に布団(８、９)まで延ばせ、乾燥ユニット１３を布団(８、９)内に置くことができる。
【０２９２】
ホース２を床に這わせ、直線状に配置できるので、ホース２に無理がかからず、ホース  ２を最短の長さで布団(８、９)まで導くことができる。一方、電源コードＣは、ホース２連結側の側面を下に横置きに配置した乾燥機本体２１の下面側より床を這わせて直線状に電源コンセントまで導くことができるので、電源コードＣを最短の長さで構成することができる。また、電源コードＣを床に這わせて電源コンセントまで導けるので、乾燥機本体２１の近くを通る人が、電源コードＣに足をからませることを防ぐことができる。
【０２９３】
また、図２２に示すように、ベッドＢの上の布団(８、９)を乾燥する場合には、乾燥機本体２１を通常の縦置きの姿勢でホース２を上側から無理なくベッドの上の布団８，９間に導くことができる。そのため、ホース２を最短の長さで布団(８、９)間に導け、かつ、ホース２に無理がかからない。一方、電源コードＣは、乾燥機本体２１のホース２連結側の側方下部の角部２１ｋ８の凹部２１ｋ９から、床を這わせて乾燥機本体２１の後方の電源コンセントに直線状に導くことができる。そのため、電源コードＣを最短長さで、電源コンセントにつなぐことができる。また、電源コードＣは、床を這って接続できるので、乾燥機本体２１近くを通る人が足をからませることがない。
【０２９４】
上述のことから、乾燥機本体２１を略キューブ型とし、ホース２の連結箇所を一方の側上部に配置し、電源コードＣを該一方側の側下部に設けることで、ホース２と電源コードＣの各長さを最短の長さとすることができる。また、布団乾燥機２Ｆの使用時、ホース２と電源コードＣとを無理なく配置することができる、電源コードＣを足にからませることが抑制されるメリットがある。
【０２９５】
１１．操作部２１ｓの操作スイッチ２１ｂ１〜２１ｂ７を各乾燥運転のモードに対応させて設けたので、使用者が直ちに、つまり迅速に所望の乾燥運転モードを選ぶことができる。また、操作スイッチ２１ｂ１〜２１ｂ７の何れかの押下を繰り返すことで、選択した乾燥運転モードの所望の変更モードを選ぶことができる。そのため、使い勝手がよい。
【０２９６】
１２．操作部２１ｓの表示装置２１ｈに乾燥運転の残り時間を表示するので、使用者は乾燥運転が終わる時間を見極めることができ、外出、買い物などを予定たてて行うことができる。
【０２９７】
１３．操作部２１ｓの表示装置２１ｈに、布団乾燥機２Ｆに発生したエラー内容に応じて、使用者対応可能か否か分るエラーコードによる表示を行うので、使用者対応できない場合のエラーへの対応が速やかに行える。また、表示装置２１ｈにエラー内容に応じたエラーコードが表示されるので、迅速にエラー内容に応じた処置を施すことができる。使用者対応の異常の場合には、マニュアルなどでエラーコードから対応内容を知り、迅速に対応することができ、正常状態に素早く復帰することができる。
【０２９８】
＜実施形態２の変形例１＞
図３７は、実施形態２の変形例１の乾燥ユニットが乾燥機本体の内部に収納された状態を上方から見た斜視図である。
変形例１は、乾燥機本体２１の連結口２１ｃに一方端部が連結されるホース６２の他方端６２ｔ２が、乾燥ユニット６３と一体に連続して構成されたものである。
【０２９９】
そのため、乾燥ユニット６３とホース６２とは、図３７に示すように、つながったまま乾燥機本体２１の内部に収納される。
その他の構成は、実施形態２の構成と同様であるから、同一の構成要素には同一の符号を付して示し、詳細な説明は省略する。
【０３００】
変形例１によれば、乾燥ユニット６３とホース６２とが一体に繋がって構成されるので、乾燥ユニット６３の乾燥機本体２１からの取り出し、乾燥ユニット６３の乾燥機本体２１への収納が容易である。
そのため、乾燥ユニット６３とホース６２の取り扱い性が良好である。
【０３０１】
＜＜その他の実施形態＞＞
１．前記実施形態、変形例１〜３では、通気スペース１３Ｐを前端縁から中央にかけて形成した場合を示したが、前端縁以外の端縁から通気スペース１３Ｐを形成してもよい。
【０３０２】
２．前記実施形態、変形例では、図４〜図７に示すように、凹部温風吹出し口１３ａ１を通気スペース１３Ｐの根元側に設けた場合を例示したが、通気スペース１３Ｐに対向していれば凹部温風吹出し口１３ａ１の位置はその他の位置に設けてもよい。しかしながら、凹部温風吹出し口１３ａ１を通気スペース１３Ｐの根元側に設けた場合(図４〜図７参照)、温風Ｏが通気スペース１３Ｐの先端側に向かって吹き出されるので、温風Ｏが布団(９、８)に広く行き渡り、より好ましい。
【０３０３】
３．変形例３では、箱状脚部を脚部３３Ａと調整脚部３３Ｂとの２つの箱形状のもので形成する場合を例示したが、箱状脚部の一部または全部を矩形状の梁または枠と、梁または枠に取り付けられるシート状部材とで構成し、梁または枠の位置を調整し、梁または枠とシート状部材とで構成される箱状脚部の長さを変える構成としてもよい。つまり、箱状脚部の長さが変更できる構成であれば、その構成は任意に選択できる。
【０３０４】
４．なお、前記実施形態、変形例１〜３では、様々な構成を説明したが、説明した各構成を適宜組み合わせて構成してもよい。
５．実施形態２では、乾燥ユニット１３を乾燥機本体２１内に収納する場合を例示して説明したが、変形例２、３の乾燥ユニット２３、３３を乾燥機本体に収納する構成とできるのは言うまでもない。また、箱形状の乾燥ユニットであれば、実施形態の乾燥ユニット１３を乾燥機本体内に収納する構成とでき、箱形状を有する乾燥ユニットであれば、乾燥機本体２１内に収納できるのは勿論である。
【０３０５】
６．実施形態２で説明した各構成を前記実施形態、、変形例１〜３で説明した各構成と、適宜組み合わせて構成してもよい。
７．なお、特許請求の範囲に記載した 「本体部(乾燥機本体１、２)は、六面体または直方体の形状を有する」とは、本体部(乾燥機本体１、２)が略六面体または略直方体の形状(略キューブ形状)を含むものとする。
【０３０６】
８．前記実施形態では、左右の調整脚部４３Ｂが前後方向にそれぞれ左右の脚部４３Ａに対して収納、延出可能であるとともに、左右の一対の脚部４３Ａが幅方向にそれぞれ本体部４３Ｈに対して収納、延出可能である場合を示したが、左右の一対の脚部４３Ａが幅方向にのみそれぞれ本体部４３Ｈに対して収納、延出可能である構成としてもよい。
【０３０７】
９．前記実施形態、変形形態では、様々な構成を説明したが適宜選択して組み合わせて構成してもよい。
【０３０８】
なお、本発明は前記した実施形態に限定されるものでなく、様々な実施形態が含まれる。例えば、上記した実施形態は本発明を分り易く説明したものであり、必ずしも説明した全ての構成を備えるものに限定されるものではない。例えば、説明した構成の一部を含むものであってもよい。
【符号の説明】
【０３０９】
１、２１  乾燥機本体(本体部)
２、６２  ホース
３、１３、２３、３３、４３、５３、６３  乾燥ユニット
３ａ    前部温風吹出し口(吹出し口)
３ｂ    側部温風吹出し口(吹出し口)
３ｃ、１３ｃ  後部温風吹出し口(吹出し口)
３ｄ、１３ｄ  上下部温風吹出し口(吹出し口)
８      敷き布団(布団)
９      掛け布団(布団)
１１    外周部温風通路
１２    中心部温風通路
１３ａ  前部温風吹出し口(吹出し口、端縁吹出し口、載置面に沿った方向に長く形成される吹出し口)
１３ａ１  凹部温風吹出し口 (吹出し口、載置面に沿った方向に長く形成される吹出し口) 
１３ｂ  側部温風吹出し口(吹出し口、載置面に沿った方向に長く形成される吹出し口)
１３Ａ、２３Ａ、３３Ａ、４３Ａ  脚部(脚状箱部)
１３Ａ１、２３Ａ１  前端縁(脚状箱部の端縁)
２１ｂ(２１ｂ１、……、２１ｂ８)  操作スイッチ
２１ｃ  連結口
２１ｈ  表示装置(表示部)
２１ｔ１  下被係合突起(第１の保持部)
２１ｔ２  上被係合突起(第２の保持部)
２１ｋ１  側面板
２１ｋ２  下面板
２１ｋ８  角部
２１ｋ９  凹部
２１ｉ１  第１上案内リブ(第１の保持部、第２の保持部)
２１ｉ２  第２上案内リブ(第１の保持部、第２の保持部)
２３ａ  前部温風吹出し口(吹出し口、端縁吹出し口、載置面に沿った方向に長く形成される吹出し口)
２４    ハンドル
２４ｂ１、２４ｃ１  長穴(ハンドル係合部)
２４ｃ２  係合突起(ハンドル係合部)
２６    化粧パネル(化粧板)
２７    下取り付け部(被係合部)
２８    上取り付け部(被係合部)
２９    下爪部(係合部)
３０    上爪部(係合部)
３０ａ１  取り外し用操作部(解除部)
３３ａ  前部温風吹出し口(吹出し口、端縁吹出し口、載置面に沿った方向に長く形成される吹出し口)
３３Ａ  脚部(長さが変えられる脚状箱部、脚状箱部)
３３Ｂ  調整脚部(長さが変えられる脚状箱、脚状箱部)
１３Ｐ  通気スペース
５４    芳香剤収納箱体（臭い抑制手段）
５４Ｓ  芳香剤収納部（臭い抑制手段）
５５    収納部蓋（蓋部材、臭い抑制手段）
５５ｂ１  閉塞ロック凹部（ロック手段）
５６    芳香剤ベース（臭い抑制手段）
５６ｒ  ロックアーム（ロック手段）
５７    芳香剤（臭い抑制体、臭い抑制手段）
Ｃ      電源コード
Ｃ１    制風板(制風手段)
Ｆ、２Ｆ      布団乾燥機
ｆ      フィルタ
Ｏ      温風
Ｔ      スタンド(角度変更手段)
【図１】
2016064126.tif 000005
【図２】
2016064126.tif 000006
【図３】
2016064126.tif 000007
【図４】
2016064126.tif 000008
【図５】
2016064126.tif 000009
【図６】
2016064126.tif 000010
【図７】
2016064126.tif 000011
【図８】
2016064126.tif 000012
【図９】
2016064126.tif 000013
【図１０】
2016064126.tif 000014
【図１１】
2016064126.tif 000015
【図１２】
2016064126.tif 000016
【図１３】
2016064126.tif 000017
【図１４】
2016064126.tif 000018
【図１５】
2016064126.tif 000019
【図１６】
2016064126.tif 000020
【図１７】
2016064126.tif 000021
【図１８】
2016064126.tif 000022
【図１９】
2016064126.tif 000023
【図２０】
2016064126.tif 000024
【図２１】
2016064126.tif 000025
【図２２】
2016064126.tif 000026
【図２３】
2016064126.tif 000027
【図２４】
2016064126.tif 000028
【図２５】
2016064126.tif 000029
【図２６】
2016064126.tif 000030
【図２７】
2016064126.tif 000031
【図２８】
2016064126.tif 000032
【図２９】
2016064126.tif 000033
【図３０】
2016064126.tif 000034
【図３１】
2016064126.tif 000035
【図３２】
2016064126.tif 000036
【図３３】
2016064126.tif 000037
【図３４】
2016064126.tif 000038
【図３５】
2016064126.tif 000039
【図３６】
2016064126.tif 000040
【図３７】
2016064126.tif 000041
【図３８】
2016064126.tif 000042
【図３９】
2016064126.tif 000043